(57)【要約】【課題】ユーザによる効果的な節電の実行を支援することが可能な電力消費管理装置、需要家装置、電力消費管理システム、電力消費管理方法および電力消費管理プログラムを提供する。【解決手段】電力消費管理装置は、電力消費に関する電力消費情報の要求を示す要求情報を取得する取得部と、前記取得部によって前記要求情報が取得された場合に、複数のユーザの各々の電力消費に関する複数の電力消費情報の中から、前記要求を行った対象ユーザとは異なるユーザの前記電力消費情報を選択する選択部と、前記選択部によって選択された前記電力消費情報を通知する通知部とを備える。【選択図】図１２
2016158369.tif 000002
【特許請求の範囲】
【請求項１】
電力消費に関する電力消費情報の要求を示す要求情報を取得する取得部と、
前記取得部によって前記要求情報が取得された場合に、複数のユーザの各々の電力消費に関する複数の電力消費情報の中から、前記要求を行った対象ユーザとは異なるユーザの前記電力消費情報を選択する選択部と、
前記選択部によって選択された前記電力消費情報を通知する通知部とを備える、電力消費管理装置。
【請求項２】
前記電力消費情報は、対応のユーザの使用する電気機器の消費電力に関する情報、および前記電気機器の動作設定に関する情報の少なくともいずれか一方を含む、請求項１に記載の電力消費管理装置。
【請求項３】
前記選択部は、前記対象ユーザと生活環境が類似または一致する他のユーザの前記電力消費情報を選択する、請求項１または請求項２に記載の電力消費管理装置。
【請求項４】
前記選択部は、前記生活環境の決定因子と前記決定因子の重みとを用いて、前記対象ユーザを含む各ユーザの前記生活環境の評価値を算出し、算出した前記対象ユーザの前記評価値および他のユーザの前記評価値の比較結果に基づいて前記電力消費情報を選択する、請求項３に記載の電力消費管理装置。
【請求項５】
前記通知部は、さらに、複数のユーザを順位付けしたランキング情報を通知する、請求項１から請求項４のいずれか１項に記載の電力消費管理装置。
【請求項６】
前記通知部は、さらに、前記対象ユーザの使用する電気機器の代わりに他の同じ種類の電気機器を使用した場合、または新たな種類の電気機器を使用した場合における電力消費に関する試算情報を通知する、請求項１から請求項５のいずれか１項に記載の電力消費管理装置。
【請求項７】
前記試算情報は、前記対象ユーザの使用する電気機器の代わりに新製品の電気機器を使用した場合における前記電力消費に関する情報を含む、請求項６に記載の電力消費管理装置。
【請求項８】
前記電力消費管理装置は、さらに、
前記対象ユーザの電力消費に対する評価内容を示す指標の演算を行う消費評価部を備え、
前記通知部は、さらに、前記消費評価部による演算とは異なる基準の条件が満たされた場合に付与される前記指標を示す付与情報を通知する、請求項１から請求項７のいずれか１項に記載の電力消費管理装置。
【請求項９】
前記電力消費管理装置は、さらに、
前記対象ユーザの電力消費に対する評価内容を示す指標であって、前記対象ユーザの電力需要施設における区分けされた場所ごとの指標の演算を行う区分評価部を備える、請求項１から請求項８のいずれか１項に記載の電力消費管理装置。
【請求項１０】
前記選択部は、前記取得部によって前記要求情報が取得された場合に、さらに、前記対象ユーザの前記電力消費情報を選択し、
前記電力消費情報は、前記対象ユーザの使用する電気機器の推奨設定に関する情報および前記対象ユーザの使用する電気機器の過去の設定に関する情報の少なくともいずれか一方を含む、請求項１から請求項９のいずれか１項に記載の電力消費管理装置。
【請求項１１】
電力需要施設において用いられる需要家装置であって、
電力消費に関する電力消費情報の要求を示す要求情報を電力消費管理装置に通知する通知部と、
複数のユーザの各々の電力消費に関する複数の電力消費情報の中から選択された、前記電力需要施設に対応する対象ユーザとは異なるユーザの前記電力消費情報を前記電力消費管理装置から取得する取得部とを備える、需要家装置。
【請求項１２】
電力需要施設において用いられる需要家装置と、
電力消費管理装置とを備え、
前記需要家装置は、電力消費に関する電力消費情報の要求を示す要求情報を前記電力消費管理装置へ送信し、
前記電力消費管理装置は、前記需要家装置から前記要求情報を受信して、前記電力需要施設に対応する対象ユーザとは異なるユーザの電力消費に関する電力消費情報を前記需要家装置へ送信する、電力消費管理システム。
【請求項１３】
電力消費管理装置における電力消費管理方法であって、
電力消費に関する電力消費情報の要求を示す要求情報を取得するステップと、
複数のユーザの各々の電力消費に関する複数の電力消費情報の中から、取得した前記要求情報の示す前記要求を行った対象ユーザとは異なるユーザの前記電力消費情報を選択するステップと、
選択した前記電力消費情報を通知するステップとを含む、電力消費管理方法。
【請求項１４】
電力需要施設において用いられる需要家装置における電力消費管理方法であって、
電力消費に関する電力消費情報の要求を示す要求情報を電力消費管理装置に通知するステップと、
複数のユーザの各々の電力消費に関する複数の電力消費情報の中から選択された、前記電力需要施設に対応する対象ユーザとは異なるユーザの前記電力消費情報を前記電力消費管理装置から取得するステップとを含む、電力消費管理方法。
【請求項１５】
電力需要施設において用いられる需要家装置と、電力消費管理装置とを備える電力消費管理システムにおける電力消費管理方法であって、
前記需要家装置が、電力消費に関する電力消費情報の要求を示す要求情報を前記電力消費管理装置へ送信するステップと、
前記電力消費管理装置が、前記需要家装置から前記要求情報を受信して、前記電力需要施設に対応する対象ユーザとは異なるユーザの電力消費に関する電力消費情報を前記需要家装置へ送信するステップとを含む、電力消費管理方法。
【請求項１６】
電力消費管理装置において用いられる電力消費管理プログラムであって、コンピュータに、
電力消費に関する電力消費情報の要求を示す要求情報を取得するステップと、
複数のユーザの各々の電力消費に関する複数の電力消費情報の中から、取得した前記要求情報の示す前記要求を行った対象ユーザとは異なるユーザの前記電力消費情報を選択するステップと、
選択した前記電力消費情報を通知するステップとを実行させるための、電力消費管理プログラム。
【請求項１７】
電力需要施設において用いられる需要家装置、において用いられる電力消費管理プログラムであって、コンピュータに、
電力消費に関する電力消費情報の要求を示す要求情報を電力消費管理装置に通知するステップと、
複数のユーザの各々の電力消費に関する複数の電力消費情報の中から選択された、前記電力需要施設に対応する対象ユーザとは異なるユーザの前記電力消費情報を前記電力消費管理装置から取得するステップとを実行させるための、電力消費管理プログラム。
【発明の詳細な説明】
【技術分野】
【０００１】
本発明は、電力消費管理装置、需要家装置、電力消費管理システム、電力消費管理方法および電力消費管理プログラムに関し、特に、ユーザの電力消費に関する情報を用いる電力消費管理装置、需要家装置、電力消費管理システム、電力消費管理方法および電力消費管理プログラムに関する。
【背景技術】
【０００２】
従来、電力需給が逼迫している場合等に一般家庭およびオフィス等の電力需要施設における電力消費が抑制されるように、電力需要施設における電力消費を管理する電力消費管理システムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部とを備える。
【先行技術文献】
【特許文献】
【０００４】
【特許文献１】特開２０１２−２０５３５８号公報
【発明の概要】
【発明が解決しようとする課題】
【０００５】
ところで、電力需要施設における消費電力を可視化することにより、ユーザに積極的に節電を行わせることができる場合がある。
【０００６】
たとえば、ユーザは、自己の電力需要施設における消費電力を認識し、無駄な消費電力を削減できるように、当該電力需要施設において設置された電気機器の動作設定を変更する。
【０００７】
しかしながら、ユーザは、効果的な節電をどのようにして実現すればよいか分からない場合がある。
【０００８】
この発明は、上述の課題を解決するためになされたもので、その目的は、ユーザによる効果的な節電の実行を支援することが可能な電力消費管理装置、需要家装置、電力消費管理システム、電力消費管理方法および電力消費管理プログラムを提供することである。
【課題を解決するための手段】
【０００９】
（１）上記課題を解決するために、この発明のある局面に係る電力消費管理装置は、電力消費に関する電力消費情報の要求を示す要求情報を取得する取得部と、前記取得部によって前記要求情報が取得された場合に、複数のユーザの各々の電力消費に関する複数の電力消費情報の中から、前記要求を行った対象ユーザとは異なるユーザの前記電力消費情報を選択する選択部と、前記選択部によって選択された前記電力消費情報を通知する通知部とを備える。
【００１０】
（１１）上記課題を解決するために、この発明のある局面に係る需要家装置は、電力需要施設において用いられる需要家装置であって、電力消費に関する電力消費情報の要求を示す要求情報を電力消費管理装置に通知する通知部と、複数のユーザの各々の電力消費に関する複数の電力消費情報の中から選択された、前記電力需要施設に対応する対象ユーザとは異なるユーザの前記電力消費情報を前記電力消費管理装置から取得する取得部とを備える。
【００１１】
（１２）上記課題を解決するために、この発明のある局面に係る電力消費管理システムは、電力需要施設において用いられる需要家装置と、電力消費管理装置とを備え、前記需要家装置は、電力消費に関する電力消費情報の要求を示す要求情報を前記電力消費管理装置へ送信し、前記電力消費管理装置は、前記需要家装置から前記要求情報を受信して、前記電力需要施設に対応する対象ユーザとは異なるユーザの電力消費に関する電力消費情報を前記需要家装置へ送信する。
【００１２】
（１３）上記課題を解決するために、この発明のある局面に係る電力消費管理方法は、電力消費管理装置における電力消費管理方法であって、電力消費に関する電力消費情報の要求を示す要求情報を取得するステップと、複数のユーザの各々の電力消費に関する複数の電力消費情報の中から、取得した前記要求情報の示す前記要求を行った対象ユーザとは異なるユーザの前記電力消費情報を選択するステップと、選択した前記電力消費情報を通知するステップとを含む。
【００１３】
（１４）またこの発明の別の局面に係る電力消費管理方法は、電力需要施設において用いられる需要家装置における電力消費管理方法であって、電力消費に関する電力消費情報の要求を示す要求情報を電力消費管理装置に通知するステップと、複数のユーザの各々の電力消費に関する複数の電力消費情報の中から選択された、前記電力需要施設に対応する対象ユーザとは異なるユーザの前記電力消費情報を前記電力消費管理装置から取得するステップとを含む。
【００１４】
（１５）またこの発明の別の局面に係る電力消費管理方法は、電力需要施設において用いられる需要家装置と、電力消費管理装置とを備える電力消費管理システムにおける電力消費管理方法であって、前記需要家装置が、電力消費に関する電力消費情報の要求を示す要求情報を前記電力消費管理装置へ送信するステップと、前記電力消費管理装置が、前記需要家装置から前記要求情報を受信して、前記電力需要施設に対応する対象ユーザとは異なるユーザの電力消費に関する電力消費情報を前記需要家装置へ送信するステップとを含む。
【００１５】
（１６）上記課題を解決するために、この発明のある局面に係る電力消費管理プログラムは、電力消費管理装置において用いられる電力消費管理プログラムであって、コンピュータに、電力消費に関する電力消費情報の要求を示す要求情報を取得するステップと、複数のユーザの各々の電力消費に関する複数の電力消費情報の中から、取得した前記要求情報の示す前記要求を行った対象ユーザとは異なるユーザの前記電力消費情報を選択するステップと、選択した前記電力消費情報を通知するステップとを実行させるためのプログラムである。
【００１６】
（１７）またこの発明の別の局面に係る電力消費管理プログラムは、電力需要施設において用いられる需要家装置、において用いられる電力消費管理プログラムであって、コンピュータに、電力消費に関する電力消費情報の要求を示す要求情報を電力消費管理装置に通知するステップと、複数のユーザの各々の電力消費に関する複数の電力消費情報の中から選択された、前記電力需要施設に対応する対象ユーザとは異なるユーザの前記電力消費情報を前記電力消費管理装置から取得するステップとを実行させるためのプログラムである。
【００１７】
本発明は、このような特徴的な処理部を備える電力消費管理装置として実現することができるだけでなく、電力消費管理装置の一部または全部を実現する半導体集積回路として実現することができる。
【００１８】
また、本発明は、このような特徴的な処理部を備える需要家装置として実現することができるだけでなく、需要家装置の一部または全部を実現する半導体集積回路として実現することができる。
【発明の効果】
【００１９】
本発明によれば、ユーザによる効果的な節電の実行を支援することができる。
【図面の簡単な説明】
【００２０】
【図１】図１は、本発明の第１の実施の形態に係る電力消費管理システムの構成を示す図である。
【図２】図２は、本発明の第１の実施の形態に係る電力情報管理システムにおける端末装置の表示画面の一例を示す図である。
【図３】図３は、本発明の第１の実施の形態に係る電力情報管理システムにおける端末装置の表示画面の他の例を示す図である。
【図４】図４は、本発明の第１の実施の形態に係る電力情報管理システムにおける端末装置の表示画面の他の例を示す図である。
【図５】図５は、本発明の第１の実施の形態に係る電力情報管理システムにおける端末装置の表示画面の他の例を示す図である。
【図６】図６は、本発明の第１の実施の形態に係る電力情報管理システムにおける端末装置の表示画面の他の例を示す図である。
【図７】図７は、本発明の第１の実施の形態に係る電力情報管理システムにおける端末装置の表示画面の他の例を示す図である。
【図８】図８は、本発明の第１の実施の形態に係る電力情報管理システムにおける端末装置の表示画面の他の例を示す図である。
【図９】図９は、本発明の第１の実施の形態に係る電力情報管理システムにおける端末装置の表示画面の他の例を示す図である。
【図１０】図１０は、本発明の第１の実施の形態に係る電力消費管理システムにおける電力情報処理のシーケンスの一例を示す図である。
【図１１】図１１は、本発明の第１の実施の形態に係る電力消費管理システムにおける電力情報処理のシーケンスの他の例を示す図である。
【図１２】図１２は、本発明の第１の実施の形態に係る電力消費管理装置の構成を示す図である。
【図１３】図１３は、本発明の第１の実施の形態に係る電力消費管理装置における選択部が生活環境値を算出する方法について説明するための図である。
【図１４】図１４は、本発明の第１の実施の形態に係る需要家装置の構成を示す図である。
【図１５】図１５は、本発明の第２の実施の形態に係る電力情報管理システムにおける端末装置の表示画面の一例を示す図である。
【図１６】図１６は、本発明の第２の実施の形態に係る電力消費管理システムにおける電力情報処理のシーケンスの一例を示す図である。
【図１７】図１７は、本発明の第２の実施の形態に係る電力消費管理装置の構成を示す図である。
【図１８】図１８は、本発明の第２の実施の形態に係る電力消費管理システムにおける需要家装置の構成を示す図である。
【発明を実施するための形態】
【００２１】
最初に、本発明の実施の形態の内容を列記して説明する。
【００２２】
（１）本発明の実施の形態に係る電力消費管理装置は、電力消費に関する電力消費情報の要求を示す要求情報を取得する取得部と、前記取得部によって前記要求情報が取得された場合に、複数のユーザの各々の電力消費に関する複数の電力消費情報の中から、前記要求を行った対象ユーザとは異なるユーザの前記電力消費情報を選択する選択部と、前記選択部によって選択された前記電力消費情報を通知する通知部とを備える。
【００２３】
このような構成により、他のユーザの電力消費に関する情報を対象ユーザに提示することができるため、対象ユーザは、他のユーザを参考にして自己の電力需要施設における節電の内容を決めることができる。したがって、ユーザによる効果的な節電の実行を支援することができる。
【００２４】
（２）好ましくは、前記電力消費情報は、対応のユーザの使用する電気機器の消費電力に関する情報、および前記電気機器の動作設定に関する情報の少なくともいずれか一方を含む。
【００２５】
このような構成により、たとえば、他のユーザが電気機器をどのように使用しているかを対象ユーザに提示することができるため、対象ユーザにおいてより効果的な節電を行うことが可能となる。
【００２６】
（３）好ましくは、前記選択部は、前記対象ユーザと生活環境が類似または一致する他のユーザの前記電力消費情報を選択する。
【００２７】
このような構成により、対象ユーザと生活環境が近い他のユーザの電力消費に関する情報を対象ユーザに提示することができるため、対象ユーザに対してより有用な情報を提示することができる。
【００２８】
（４）より好ましくは、前記選択部は、前記生活環境の決定因子と前記決定因子の重みとを用いて、前記対象ユーザを含む各ユーザの前記生活環境の評価値を算出し、算出した前記対象ユーザの前記評価値および他のユーザの前記評価値の比較結果に基づいて前記電力消費情報を選択する。
【００２９】
このような構成により、対象ユーザと生活環境が近い他のユーザの電力消費に関する情報をより的確に選択することができる。
【００３０】
（５）好ましくは、前記通知部は、さらに、複数のユーザを順位付けしたランキング情報を通知する。
【００３１】
このような構成により、節電を特に効果的に行っている他のユーザの電力消費に関する情報を対象ユーザに提示することができる。
【００３２】
（６）好ましくは、前記通知部は、さらに、前記対象ユーザの使用する電気機器の代わりに他の同じ種類の電気機器を使用した場合、または新たな種類の電気機器を使用した場合における電力消費に関する試算情報を通知する。
【００３３】
このような構成により、たとえば、対象ユーザが自己の電気機器を他のユーザが使用している他の同じ種類の電気機器に買い替えた場合における節電の効果を、対象ユーザに提示することができる。また、たとえば、対象ユーザが、自己の所有していない電気機器であって、他のユーザの使用している電気機器を新たに購入した場合における節電の効果を、対象ユーザに提示することができる。これにより、効果的な節電を行うことが可能な新たな電気機器の購入を対象ユーザに促すことができる。
【００３４】
（７）より好ましくは、前記試算情報は、前記対象ユーザの使用する電気機器の代わりに新製品の電気機器を使用した場合における前記電力消費に関する情報を含む。
【００３５】
このような構成により、対象ユーザが自己の使用している電気機器を消費電力の少ない新製品に買い替えた場合における節電の効果を、対象ユーザに提示することができる。また、たとえば、試算対象の新製品を提携先メーカの製品にすることにより、提携先メーカの新製品を効果的にアピールすることができる。
【００３６】
（８）好ましくは、前記電力消費管理装置は、さらに、前記対象ユーザの電力消費に対する評価内容を示す指標の演算を行う消費評価部を備え、前記通知部は、さらに、前記消費評価部による演算とは異なる基準の条件が満たされた場合に付与される前記指標を示す付与情報を通知する。
【００３７】
このような構成により、たとえば消費電力の削減量に応じてユーザにポイントを付与することができるため、節電を行うことのインセンティブをユーザに与えることができる。また、ポイントを特別に付与する条件を定め、当該条件をユーザに提示することにより、ユーザの節電への興味を持続させることができる。
【００３８】
（９）好ましくは、前記電力消費管理装置は、さらに、前記対象ユーザの電力消費に対する評価内容を示す指標であって、前記対象ユーザの電力需要施設における区分けされた場所ごとの指標の演算を行う区分評価部を備える。
【００３９】
このような構成により、たとえばユーザの電力需要施設における各部屋にポイントを付与することができるため、部屋の使用者ごとの節電に関する評価内容を提示することができる。
【００４０】
（１０）好ましくは、前記選択部は、前記取得部によって前記要求情報が取得された場合に、さらに、前記対象ユーザの前記電力消費情報を選択し、前記電力消費情報は、前記対象ユーザの使用する電気機器の推奨設定に関する情報および前記対象ユーザの使用する電気機器の過去の設定に関する情報の少なくともいずれか一方を含む。
【００４１】
このような構成により、たとえば、電気機器における動作設定の推奨設定への変更を対象ユーザに促すことができる。また、たとえば、新たに設定した電気機器の動作について対象ユーザが不満を感じているような場合、当該電気機器の動作設定を変更前の状態に戻すことを支援することができる。
【００４２】
（１１）本発明の実施の形態に係る需要家装置は、電力需要施設において用いられる需要家装置であって、電力消費に関する電力消費情報の要求を示す要求情報を電力消費管理装置に通知する通知部と、複数のユーザの各々の電力消費に関する複数の電力消費情報の中から選択された、前記電力需要施設に対応する対象ユーザとは異なるユーザの前記電力消費情報を前記電力消費管理装置から取得する取得部とを備える。
【００４３】
このような構成により、他のユーザの電力消費に関する情報を対象ユーザに提示することができるため、対象ユーザは、他のユーザを参考にして自己の電力需要施設における節電の内容を決めることができる。したがって、ユーザによる効果的な節電の実行を支援することができる。
【００４４】
（１２）本発明の実施の形態に係る電力消費管理システムは、電力需要施設において用いられる需要家装置と、電力消費管理装置とを備え、前記需要家装置は、電力消費に関する電力消費情報の要求を示す要求情報を前記電力消費管理装置へ送信し、前記電力消費管理装置は、前記需要家装置から前記要求情報を受信して、前記電力需要施設に対応する対象ユーザとは異なるユーザの電力消費に関する電力消費情報を前記需要家装置へ送信する。
【００４５】
このような構成により、他のユーザの電力消費に関する情報を対象ユーザに提示することができるため、対象ユーザは、他のユーザを参考にして自己の電力需要施設における節電の内容を決めることができる。したがって、ユーザによる効果的な節電の実行を支援することができる。
【００４６】
（１３）本発明の実施の形態に係る電力消費管理方法は、電力消費管理装置における電力消費管理方法であって、電力消費に関する電力消費情報の要求を示す要求情報を取得するステップと、複数のユーザの各々の電力消費に関する複数の電力消費情報の中から、取得した前記要求情報の示す前記要求を行った対象ユーザとは異なるユーザの前記電力消費情報を選択するステップと、選択した前記電力消費情報を通知するステップとを含む。
【００４７】
このような構成により、他のユーザの電力消費に関する情報を対象ユーザに提示することができるため、対象ユーザは、他のユーザを参考にして自己の電力需要施設における節電の内容を決めることができる。したがって、ユーザによる効果的な節電の実行を支援することができる。
【００４８】
（１４）本発明の実施の形態に係る電力消費管理方法は、電力需要施設において用いられる需要家装置における電力消費管理方法であって、電力消費に関する電力消費情報の要求を示す要求情報を電力消費管理装置に通知するステップと、複数のユーザの各々の電力消費に関する複数の電力消費情報の中から選択された、前記電力需要施設に対応する対象ユーザとは異なるユーザの前記電力消費情報を前記電力消費管理装置から取得するステップとを含む。
【００４９】
このような構成により、他のユーザの電力消費に関する情報を対象ユーザに提示することができるため、対象ユーザは、他のユーザを参考にして自己の電力需要施設における節電の内容を決めることができる。したがって、ユーザによる効果的な節電の実行を支援することができる。
【００５０】
（１５）本発明の実施の形態に係る電力消費管理方法は、電力需要施設において用いられる需要家装置と、電力消費管理装置とを備える電力消費管理システムにおける電力消費管理方法であって、前記需要家装置が、電力消費に関する電力消費情報の要求を示す要求情報を前記電力消費管理装置へ送信するステップと、前記電力消費管理装置が、前記需要家装置から前記要求情報を受信して、前記電力需要施設に対応する対象ユーザとは異なるユーザの電力消費に関する電力消費情報を前記需要家装置へ送信するステップとを含む。
【００５１】
このような構成により、他のユーザの電力消費に関する情報を対象ユーザに提示することができるため、対象ユーザは、他のユーザを参考にして自己の電力需要施設における節電の内容を決めることができる。したがって、ユーザによる効果的な節電の実行を支援することができる。
【００５２】
（１６）本発明の実施の形態に係る電力消費管理プログラムは、電力消費管理装置において用いられる電力消費管理プログラムであって、コンピュータに、電力消費に関する電力消費情報の要求を示す要求情報を取得するステップと、複数のユーザの各々の電力消費に関する複数の電力消費情報の中から、取得した前記要求情報の示す前記要求を行った対象ユーザとは異なるユーザの前記電力消費情報を選択するステップと、選択した前記電力消費情報を通知するステップとを実行させるためのプログラムである。
【００５３】
このような構成により、他のユーザの電力消費に関する情報を対象ユーザに提示することができるため、対象ユーザは、他のユーザを参考にして自己の電力需要施設における節電の内容を決めることができる。したがって、ユーザによる効果的な節電の実行を支援することができる。
【００５４】
（１７）本発明の実施の形態に係る電力消費管理プログラムは、電力需要施設において用いられる需要家装置、において用いられる電力消費管理プログラムであって、コンピュータに、電力消費に関する電力消費情報の要求を示す要求情報を電力消費管理装置に通知するステップと、複数のユーザの各々の電力消費に関する複数の電力消費情報の中から選択された、前記電力需要施設に対応する対象ユーザとは異なるユーザの前記電力消費情報を前記電力消費管理装置から取得するステップとを実行させるためのプログラムである。
【００５５】
このような構成により、他のユーザの電力消費に関する情報を対象ユーザに提示することができるため、対象ユーザは、他のユーザを参考にして自己の電力需要施設における節電の内容を決めることができる。したがって、ユーザによる効果的な節電の実行を支援することができる。
【００５６】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００５７】
＜第１の実施の形態＞
［システム構成］
図１は、本発明の第１の実施の形態に係る電力消費管理システムの構成を示す図である。
【００５８】
図１を参照して、電力消費管理システム１０１は、電力消費管理装置１２と、複数の需要家装置１３と、複数のスマートメータ１４と、複数の電気機器１５と、複数の端末装置１６とを備える。
【００５９】
複数のユーザ４の各々の電力需要施設３において、需要家装置１３、スマートメータ１４、複数の電気機器１５および端末装置１６が設置される。電力需要施設３は、たとえば一般家庭の住宅である。なお、電力需要施設３は、ビルまたは工場等であってもよい。
【００６０】
需要家装置１３は、電力需要施設３における電気設備等の動作を制御することによって消費電力の削減を図るためのＨＥＭＳ（Ｈｏｍｅ  Ｅｎｅｒｇｙ  Ｍａｎａｇｅｍｅｎｔ  Ｓｙｓｔｅｍ）またはＢＥＭＳ（Ｂｕｉｌｄｉｎｇ  Ｅｎｅｒｇｙ  Ｍａｎａｇｅｍｅｎｔ  Ｓｙｓｔｅｍ）等のシステムにおいて用いられる装置であり、たとえばアグリゲータ２によって導入される。
【００６１】
アグリゲータ２は、たとえば、ＨＥＭＳアグリゲータまたはＢＥＭＳアグリゲータ等、複数の電力需要施設３における省エネを支援する事業者である。
【００６２】
需要家装置１３は、自己の電力需要施設３におけるスマートメータ１４、各電気機器１５および端末装置１６と通信接続される。
【００６３】
電気機器１５は、エアコン、冷蔵庫または照明機器等であり、たとえば、自己の消費電力を測定し、測定結果を示す機器電力情報を定期的または不定期に需要家装置１３へ送信するスマート家電である。
【００６４】
スマートメータ１４は、電力需要施設３における消費電力を測定し、測定結果を示す施設電力情報を定期的または不定期に需要家装置１３へ送信する。施設電力情報は、たとえば、電力需要施設３における各電気機器１５の消費電力と電気機器１５以外の複数の電気機器の消費電力との合計値を示す。
【００６５】
端末装置１６は、パソコン、スマートフォンまたはタブレット等の端末装置であり、たとえばユーザ４によって使用される。
【００６６】
需要家装置１３は、スマートメータ１４から所定期間において受信した施設電力情報を集計して、たとえば、当該期間における電力需要施設３の消費電力の推移を示す施設集計情報を作成する。また、需要家装置１３は、各電気機器１５から所定期間において受信した機器電力情報を集計して、当該期間における各電気機器１５の消費電力の推移を示す機器集計情報を作成する。
【００６７】
また、需要家装置１３は、たとえば、ユーザ４の端末装置１６に対する操作に基づいて、各電気機器１５の動作設定を変更することができる。
【００６８】
具体的には、たとえば、端末装置１６は、ユーザ４による操作を受けて、電気機器１５の動作設定を変更させるための設定変更要求を需要家装置１３へ送信する。
【００６９】
需要家装置１３は、端末装置１６から設定変更要求を受信して、受信した設定変更要求に基づいて、電気機器１５の動作設定を変更する。
【００７０】
たとえば、電気機器１５がエアコンである場合、動作設定には、温度設定等の基本設定と、通常モードおよびエコモード等の動作モード設定とがある。
【００７１】
電力消費管理装置１２は、たとえば、アグリゲータ２によって運用されるサーバであり、各電力需要施設３における需要家装置１３とネットワーク経由で接続される。
【００７２】
電力消費管理装置１２は、たとえば、ユーザ４と、当該ユーザ４の電力需要施設３と、電力需要施設３において用いられる需要家装置１３とを対応付けた情報を記憶している。
【００７３】
また、電力消費管理装置１２は、ユーザ４ごとすなわち電力需要施設３ごとに電力消費に関する電力消費情報を記憶している。
【００７４】
具体的には、電力消費管理装置１２は、電力消費情報として、使用機器情報、機器電力推移情報、施設電力推移情報、機器設置部屋情報、機器設定情報、設定履歴情報、生活環境値情報、節電ポイント情報、ポイント取得履歴情報および部屋別ポイント情報を記憶している。
【００７５】
使用機器情報は、対応のユーザ４の使用する各電気機器１５の推奨設定に関する内容を含む。具体的には、たとえば、使用機器情報は、対応のユーザ４の使用する各電気機器１５の種類、メーカおよび型式、ならびに当該電気機器１５において選択可能な動作設定および推奨設定等を示す。推奨設定は、たとえば消費電力を抑制するために推奨される動作設定である。また、使用機器情報は、動作設定と消費電力との対応関係を示す。
【００７６】
機器電力推移情報は、対応のユーザ４の使用する各電気機器１５の消費電力に関する情報であり、たとえば、対応のユーザ４の使用する各電気機器１５の消費電力の推移を示す。機器電力推移情報は、たとえば、電力消費管理装置１２が、需要家装置１３から受信した機器集計情報に基づいて作成した情報である。
【００７７】
施設電力推移情報は、対応のユーザ４の電力需要施設３における消費電力に関する情報であり、たとえば、当該電力需要施設３における消費電力の推移を示す。機器電力推移情報は、たとえば、電力消費管理装置１２が、需要家装置１３から受信した施設集計情報に基づいて作成した情報である。
【００７８】
機器設置部屋情報は、たとえば、対応のユーザ４の使用する電気機器１５と電力需要施設３における当該電気機器１５の設置されている部屋との対応関係を示す。つまり、機器設置部屋情報は、対応のユーザ４の使用する各電気機器１５が電力需要施設３においてどの部屋に設置されているのかを示す。
【００７９】
機器設定情報は、対応のユーザ４の使用する各電気機器１５の現在の動作設定を示す。具体的には、たとえば、各電気機器１５の基本設定の内容および動作モード設定の内容を示す。
【００８０】
ここで、アグリゲータ２によって運用される電力消費管理装置１２は、たとえば電力需給の逼迫が予想される場合に、通常時より電力消費を抑制させるための指示を示す指示情報を各電力需要施設３の需要家装置１３へ送信することがある。需要家装置１３は、電力消費管理装置１２から指示情報を受信した場合、電気機器１５の動作設定を変更する。機器設定情報は、需要家装置１３が電力消費管理装置１２から指示情報を受信した場合における各電気機器１５の動作設定の内容も示す。
【００８１】
設定履歴情報は、対応のユーザ４の使用する各電気機器１５の過去の動作設定に関する情報である。具体的には、たとえば、設定履歴情報は、対応のユーザ４の使用する各電気機器１５の動作設定の変更履歴を示す。
【００８２】
生活環境値情報は、対応のユーザ４の生活環境の評価値（以下、生活環境値とも称する。）を示す情報である。たとえば、生活環境値が等しいかまたは近いユーザ４同士は、生活環境が類似しているとみなされる。
【００８３】
節電ポイント情報は、対応のユーザ４が現在保有している節電ポイントのポイント数を示す。節電ポイントは、対応のユーザ４の電力消費に対する評価内容を示す指標である。
【００８４】
部屋別ポイント情報は、対応の電力需要施設３における部屋ごとに付与される部屋別ポイントのポイント数を示す。たとえば、電力需要施設３における各部屋の保有する部屋別ポイントの合計値は、当該電力需要施設３のユーザ４が保有する節電ポイントのポイント数と等しい。
【００８５】
また、電力消費管理装置１２は、ポイント評価用情報および付与情報を記憶している。
【００８６】
ポイント評価用情報は、ユーザ４に付与する節電ポイントの演算に用いる情報であり、たとえば、生活環境値に応じて決まる基準消費電力量を示す。ユーザ４に付与される節電ポイントは、たとえば、当該ユーザ４の消費電力量と、当該ユーザ４の生活環境値に対応する基準消費電力量との差に応じて決定される。
【００８７】
ここで、アグリゲータ２が予め定めた電力消費に関する条件をユーザ４が満たした場合、当該ユーザ４には特別に節電ポイントが付与される。以下、ユーザ４が所定条件を満した場合において当該ユーザ４に付与される節電ポイントをボーナスポイントとも称する。
【００８８】
付与情報は、ボーナスポイントが付与される条件と、当該条件をユーザ４が満たした場合に当該ユーザ４に付与されるボーナスポイントのポイント数とを示す。
【００８９】
ユーザ４は、たとえば、端末装置１６を用いて電力消費管理装置１２に電力消費情報を要求することにより、電力消費情報の内容を確認することができる。
【００９０】
具体的には、たとえば、端末装置１６は、ユーザ４による操作を受けて、自己のディスプレイに表示すべき情報を需要家装置１３に要求する。需要家装置１３は、端末装置１６からの要求を受けて、電力消費情報等を電力消費管理装置１２から取得し、取得した電力消費情報等を用いて、端末装置１６のディスプレイに表示する内容を示す表示情報を作成する。そして、需要家装置１３は、作成した表示情報を端末装置１６に送信する。端末装置１６は、需要家装置１３から受信した表示情報の内容を自己のディスプレイに表示する。
【００９１】
以下、電力消費管理装置１２に電力消費情報の要求を行ったユーザ４を対象ユーザとも称する。また、対象ユーザの電力需要施設３を対象施設とも称する。また、対象ユーザと等しいかまたは近い生活環境値を有するユーザ４を類似ユーザとも称する。すなわち、類似ユーザは、対象ユーザとの生活環境値の差が所定値以内のユーザ４である。
【００９２】
［端末装置に表示される画面］
図２は、本発明の第１の実施の形態に係る電力情報管理システムにおける端末装置の表示画面の一例を示す図である。
【００９３】
図２は、たとえば、ユーザ４が端末装置１６においてアプリケーションソフトを起動させた後、最初に表示されるトップ画面を示す。
【００９４】
図２を参照して、画面には、表示部Ｍ１〜Ｍ６と、表示部ＬＡとが表示されている。表示部Ｍ１〜Ｍ５には、対象ユーザの電力消費情報の内容および対象ユーザの電力消費情報に基づいて作成された内容が表示されている。
【００９５】
具体的には、表示部Ｍ１には、施設電力推移情報に基づいて作成した内容であって、当該画面の表示された月における対象施設の消費電力量が表示されている。表示部Ｍ２は、需要家装置１３がポイント取得履歴情報に基づいて作成した内容であって、当該月において対象ユーザが取得した節電ポイントのポイント数が表示されている。
【００９６】
表示部Ｍ３には、施設電力推移情報の内容すなわち対象施設における消費電力の推移が表示されている。
【００９７】
表示部Ｍ４には、使用機器情報および機器設定情報の内容、具体的には、対象ユーザの使用する各電気機器１５の種類、メーカおよび動作モードが表示されている。
【００９８】
表示部Ｍ５には、機器電力推移情報の内容、具体的には、表示部Ｍ４に表示された各電気機器１５の消費電力の推移が表示されている。
【００９９】
表示部ＬＡには、ランキング情報の内容および類似ユーザの節電ポイント情報の内容が表示されている。ここで、ランキング情報とは、たとえば、節電ポイントの保有数が多い類似ユーザのランキングを示す情報である。ランキング情報は、電力消費管理装置１２によって作成される。
【０１００】
表示部ＬＡには、ランキング上位の類似ユーザから順番に表示されている。また、表示部ＬＡには、各類似ユーザの節電ポイント情報の内容すなわち各類似ユーザの保有する節電ポイントのポイント数が表示されている。
【０１０１】
詳細には、ランキング１位である「類似ユーザＡ」が「１０００００Ｐ」の節電ポイントを保有することが表示部ＰＡに表示されている。また、ランキング２位である「類似ユーザＢ」が「９００００Ｐ」の節電ポイントを保有することが表示部ＰＢに表示されている。また、ランキング３位である「類似ユーザＣ」が「８００００Ｐ」の節電ポイントを保有することが表示部ＰＣに表示されている。また、ランキング４位である「類似ユーザＤ」が「７００００Ｐ」の節電ポイントを保有することが表示部ＰＤに表示されている。
【０１０２】
ここで、表示部Ｍ４における、各電気機器１５の種類すなわち「エアコン」「電気自動車」および「冷蔵庫」の各々は、ボタンとして機能する。
【０１０３】
たとえば、対象ユーザが、「エアコン」「電気自動車」および「冷蔵庫」のうちのいずれかのボタンをクリックすることにより、対象ユーザがクリックしたボタンに対応する電気機器１５の動作設定を変更するための画面が表示される。
【０１０４】
図３は、本発明の第１の実施の形態に係る電力情報管理システムにおける端末装置の表示画面の他の例を示す図である。
【０１０５】
図３を参照して、表示部Ｍ８は、対象ユーザが図２における表示部Ｍ４に表示された「エアコン」のボタンをクリックしたことによって表示されたポップアップ画面を示している。
【０１０６】
表示部Ｍ８には、対象ユーザの使用機器情報に含まれるエアコンに関する内容、および機器設定情報に含まれるエアコンに関する内容が表示されている。
【０１０７】
具体的には、表示部Ｍ８には、対象ユーザの使用する「エアコン」である「Ａ社」製の「ＡＢＣ−１２３４５」における現在の動作モードが「エコモード」であり、現在の設定温度が「２７℃」であることが表示されている。
【０１０８】
また、表示部Ｍ８には、需要家装置１３が電力消費管理装置１２から指示情報を受信した場合における当該エアコンの設定温度である「抑制時温度」が「２９℃」であることが表示されている。
【０１０９】
また、表示部Ｍ８には、「おすすめ設定の確認」と記載されたボタンＢ６と、「過去の設定記録」と記載されたボタンＢ７とが表示されている。
【０１１０】
ボタンＢ６は、当該エアコンの動作設定を推奨設定に変更するためのボタンである。ボタンＢ７は、当該エアコンの動作設定を過去の動作設定に戻すためのボタンである。
【０１１１】
表示部Ｍ７は、対象ユーザが表示部Ｍ８におけるボタンＢ７をクリックしたことによって表示されたポップアップ画面を示している。
【０１１２】
表示部Ｍ７には、「１４／０４／１５の設定」と記載されたボタンＢ８と、「１４／０８／２１の設定」と記載されたボタンＢ９と、「１４／１０／０１の設定」と記載されたボタンＢ１０と、「現在の設定」と記載されたボタンＢ１１とが表示されている。
【０１１３】
たとえば、対象ユーザがボタンＢ８をクリックすると、対象ユーザの使用するエアコンの動作設定が、２０１４年４月１５日において選択されていた内容に変更される。
【０１１４】
また、たとえば、対象ユーザがＢ１１をクリックすると、対象ユーザの使用するエアコンの現在の動作設定が維持される。
【０１１５】
図４は、本発明の第１の実施の形態に係る電力情報管理システムにおける端末装置の表示画面の他の例を示す図である。
【０１１６】
図４は、対象ユーザが図２に示す表示部Ｍ４における「エアコン」のボタンをクリックしたことにより、端末装置１６のディスプレイに新たに表示された画面を示している。
【０１１７】
図４を参照して、画面には、表示部Ｍ１，Ｍ２，Ｍ６と、表示部Ｍ１０と、表示部ＬＡとが表示されている。表示部Ｍ１，Ｍ２，Ｍ６および表示部ＬＡは、図２における表示部Ｍ１，Ｍ２，Ｍ６および表示部ＬＡとそれぞれ同様である。
【０１１８】
表示部Ｍ１０には、対象ユーザの使用機器情報に含まれる「エアコン」に関する内容が表示されている。
【０１１９】
具体的には、表示部Ｍ１０には、対象ユーザの使用するエアコンは、「Ａ社」製の「ＡＢＣ−１２３４５」であることが表示されている。
【０１２０】
また、表示部Ｍ１０には、「おすすめ設定１」〜「おすすめ設定５」とそれぞれ記載されたボタンＢ２１〜Ｂ２５が表示されている。
【０１２１】
たとえば、対象ユーザが、Ｂ２１〜Ｂ２５のうちのいずれかのボタンをクリックすると、対象ユーザがクリックしたボタンに対応する推奨設定の内容が表示される。
【０１２２】
図５は、本発明の第１の実施の形態に係る電力情報管理システムにおける端末装置の表示画面の他の例を示す図である。
【０１２３】
図５を参照して、表示部Ｍ１１は、対象ユーザが図４における表示部Ｍ１０に表示された「おすすめ設定１」のボタン、すなわちボタンＢ２１をクリックしたことによって表示されたポップアップ画面を示している。
【０１２４】
表示部Ｍ１１には、対象ユーザの使用機器情報の内容が表示されている。具体的には、表示部Ｍ１１には、対象ユーザの使用する「エアコン」である「Ａ社」製の「ＡＢＣ−１２３４５」の推奨設定の内容が表示されている。より具体的には、当該エアコンの推奨の動作モードが「エコモード」であり、推奨の設定温度が「２７℃」であることが表示されている。また、表示部Ｍ１１には、需要家装置１３が電力消費管理装置１２から指示情報を受信した場合における当該エアコンの推奨の設定温度である「抑制時温度」が「２９℃」であることが表示されている。
【０１２５】
また、表示部Ｍ１１には、対象ユーザの機器設定情報の内容も表示されている。具体的には、対象ユーザが使用するエアコンの通常の設定温度が「２６℃」であり、対象ユーザが使用するエアコンの抑制時温度が「２８℃」であることが表示されている。
【０１２６】
また、表示部Ｍ１１には、「同じ設定にする」と記載されたボタンＢ３１が表示されている。たとえば、対象ユーザが、ボタンＢ３１をクリックすると、対象ユーザの使用するエアコンの動作設定が、表示部Ｍ１１において表示されている動作設定と同一の内容に変更される。
【０１２７】
再び図２を参照して、表示部ＬＡに含まれる表示部ＰＡ〜表示部ＰＤの各々は、ボタンとして機能する。たとえば、対象ユーザが、表示部ＰＡ〜ＰＤのうちのいずれかのボタンをクリックすると、端末装置１６のディスプレイには、対象ユーザがクリックしたボタンに対応する類似ユーザに関する内容が表示される。
【０１２８】
図６は、本発明の第１の実施の形態に係る電力情報管理システムにおける端末装置の表示画面の他の例を示す図である。
【０１２９】
図６は、対象ユーザが図２に示す表示部ＰＡをクリックしたことにより、端末装置１６のディスプレイに新たに表示された画面を示している。
【０１３０】
図６を参照して、画面には、表示部Ｍ１，Ｍ２，Ｍ６と、表示部Ａ１，Ａ２と、ボタンＢ４１〜Ｂ４３と、表示部ＬＡとが表示されている。表示部Ｍ１，Ｍ２，Ｍ６および表示部ＬＡは、図２における表示部Ｍ１，Ｍ２，Ｍ６および表示部ＬＡとそれぞれ同様である。
【０１３１】
表示部Ａ２には、類似ユーザＡの使用機器情報および機器設定情報の内容、具体的には、類似ユーザＡの使用する各電気機器１５の種類、メーカおよび動作モードが表示されている。
【０１３２】
表示部Ａ１には、機器電力推移情報の内容、すなわち表示部Ａ２に表示された各電気機器１５における消費電力の推移が表示されている。
【０１３３】
「買替試算」と記載されたボタンＢ４１は、対象ユーザが現在使用しているエアコンを、類似ユーザＡが使用している「Ｇ社」製の「エアコン」に変更した場合に、消費電力および電気料金をどの程度抑えることができるかを試算するためのボタンである。以下、対象ユーザの使用する電気機器１５の代わりに同じ種類の電気機器１５を使用した場合における電力消費に関する試算を機器変更試算とも称する。
【０１３４】
「買替試算」と記載されたボタンＢ４２は、対象ユーザが現在使用している冷蔵庫を、類似ユーザＡが使用している「Ｉ社」製の「冷蔵庫」に変更した場合に、消費電力および電気料金をどの程度抑えることができるかを試算するためのボタンである。
【０１３５】
「購入試算」と記載されたボタンＢ４３は、類似ユーザＡの使用している「Ｊ社」製の「蓄電池」を対象ユーザが新たに使用した場合に、消費電力および電気料金をどの程度抑えることができるかを試算するためのボタンである。以下、新たな種類の電気機器１５を使用した場合における電力消費に関する試算を機器使用試算とも称する。
【０１３６】
ここで、表示部Ａ２における、各電気機器１５の種類すなわち「エアコン」「電気自動車」「冷蔵庫」および「蓄電池」は、ボタンとして機能する。
【０１３７】
たとえば、対象ユーザが、表示部Ａ２における、「エアコン」「電気自動車」「冷蔵庫」および「蓄電池」のうちのいずれかのボタンをクリックすると、対象ユーザがクリックしたボタンに対応する電気機器１５に関する内容が表示される。
【０１３８】
図７は、本発明の第１の実施の形態に係る電力情報管理システムにおける端末装置の表示画面の他の例を示す図である。
【０１３９】
図７を参照して、表示部Ａ１０は、図６における表示部Ａ２に表示された「エアコン」を対象ユーザがクリックしたことによって表示されたポップアップ画面を示している。
【０１４０】
表示部Ａ１０には、類似ユーザＡの使用機器情報に含まれる「エアコン」に関する内容と、類似ユーザＡの機器設定情報に含まれる「エアコン」に関する内容とが表示されている。
【０１４１】
具体的には、表示部Ａ１０には、たとえば、類似ユーザＡの使用する「Ｇ社」製の「エアコン」「ＤＥＦ−１２３４５」において、動作モードが「エコモード」であり、通常の設定温度が「２７℃」であることが表示されている。また、表示部Ａ１０には、需要家装置１３が電力消費管理装置１２から指示情報を受信した場合における当該エアコンの設定温度である「抑制時温度」が２９℃であることが表示されている。
【０１４２】
また、表示部Ａ１０には、対象ユーザの機器設定情報の内容も表示されている。具体的には、表示部Ａ１０には、対象ユーザが使用するエアコンの通常の設定温度が「２６℃」であり、対象ユーザが使用するエアコンの抑制時温度が「２８℃」であることが表示されている。
【０１４３】
また、表示部Ａ１０には、「同じ設定にする」と記載されたボタンＢ１０が表示されている。たとえば、対象ユーザがボタンＢ１０をクリックすると、対象ユーザの使用するエアコンの動作設定が類似ユーザＡの使用するエアコンの動作設定と同一または類似の内容に変更される。
【０１４４】
図８は、本発明の第１の実施の形態に係る電力情報管理システムにおける端末装置の表示画面の他の例を示す図である。
【０１４５】
図８は、対象ユーザがたとえば図２における表示部Ｍ６に表示された「ボーナスポイント」のボタンすなわちボタンＢ１をクリックしたことにより、端末装置１６のディスプレイに新たに表示された画面を示している。
【０１４６】
図８を参照して、画面には、表示部Ｍ１，Ｍ２，Ｍ６と、表示部Ａ２１，Ａ２２と、表示部ＬＡとが表示されている。表示部Ｍ１，Ｍ２，Ｍ６および表示部ＬＡは、図２における表示部Ｍ１，Ｍ２，Ｍ６および表示部ＬＡとそれぞれ同様である。
【０１４７】
表示部Ａ２１には、日ごとの条件および当該条件をクリアした場合に付与されるボーナスポイントの組が複数表示されている。具体的には、表示部Ａ２１には、「エアコン」を終日「２８度設定」にしていた場合に「１００Ｐ」のボーナスポイントが付与されることが表示されている。また、「昼夜消費電力差」すなわち日中および夜間の消費電力の差が「２０％」以内である場合に、「１００Ｐ」のボーナスポイントが付与されることが表示されている。
【０１４８】
また、ボーナスポイントが付与される条件を「シークレット」として公開しない場合もある。クリアした条件には、「ＣＬＥＡＲ」の文字が付される。
【０１４９】
表示部Ａ２２には、週ごとの条件および当該条件をクリアした場合に付与されるボーナスポイントの組が複数表示されている。具体的には、表示部Ａ２２には、一週間を通して「エアコン」を「２８度設定」にしていた場合に「１００Ｐ」のボーナスポイントが付与されることが表示されている。
【０１５０】
図９は、本発明の第１の実施の形態に係る電力情報管理システムにおける端末装置の表示画面の他の例を示す図である。
【０１５１】
図９は、対象ユーザがたとえば図２に示す表示部Ｍ６における「ポイント取得履歴」のボタンすなわちボタンＢ２をクリックしたことにより、端末装置１６のディスプレイに新たに表示された画面を示している。
【０１５２】
図９を参照して、画面には、表示部Ｍ１，Ｍ２，Ｍ６と、表示部Ａ３１，Ａ３２と、表示部ＬＡとが表示されている。表示部Ｍ１，Ｍ２，Ｍ６および表示部ＬＡは、図２における表示部Ｍ１，Ｍ２，Ｍ６および表示部ＬＡとそれぞれ同様である。
【０１５３】
表示部Ａ３１には、対象ユーザの節電ポイントの取得履歴が表示されている。具体的には、たとえば、表示部Ａ３１には、対象ユーザが「２０１４年４月」において節電ポイントを「１３０４」ポイント取得したこと、および同月の対象ユーザの「ポイント残高」が「３２０」ポイントであったことが表示されている。
【０１５４】
表示部Ａ３２には、「電気料金割引申請」と記載されたボタンＢ５１と、「製品購入補助申請」と記載されたボタンＢ５２とが表示されている。
【０１５５】
たとえば、対象ユーザは、自己の保有する節電ポイントを使用することにより、対象施設にける電気料金の割引を受けることができる。対象ユーザがボタンＢ５１をクリックすると、当該割引に関する手続きを行うための画面が表示される。
【０１５６】
また、対象ユーザは、自己の保有する節電ポイントを使用することにより、たとえば、アグリゲータ２が提携している家電メーカの製品について、購入補助を受けることができる。対象ユーザがボタンＢ５２をクリックすると、当該購入補助に関する手続きを行うための画面が表示される。
【０１５７】
［動作］
次に、本発明の第１の実施の形態に係る電力消費管理システムにおける電力情報処理について説明する。
【０１５８】
電力消費管理システム１０１における各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１５９】
図１０は、本発明の第１の実施の形態に係る電力消費管理システムにおける電力情報処理のシーケンスの一例を示す図である。
【０１６０】
図１０を参照して、まず、端末装置１６は、対象ユーザによる操作を受けて（ステップＳ１１）、たとえば自己のディスプレイに表示すべき内容を要求するための情報取得要求Ａを需要家装置１３へ送信する（ステップＳ１２）。情報取得要求Ａは、たとえば、図２に示す画面の表示内容を要求するための情報である。
【０１６１】
次に、需要家装置１３は、端末装置１６から情報取得要求Ａを受信して、電力消費に関する電力消費情報の要求を示す電力情報要求（要求情報）と、複数のユーザを順位付けしたランキング情報の要求を示すランキング要求とを電力消費管理装置１２へ送信する（ステップＳ１３）。
【０１６２】
次に、電力消費管理装置１２は、需要家装置１３から電力情報要求およびランキング要求を受信して、自己の記憶する複数の電力消費情報の中から対象ユーザとは異なるユーザの電力消費情報を選択する（ステップＳ１４）。
【０１６３】
具体的には、電力消費管理装置１２は、需要家装置１３から電力情報要求およびランキング要求を受信すると、対象ユーザおよび他のユーザ４の生活環境値を比較し、対象ユーザと生活環境値が等しいかまたは近い複数のユーザ４を類似ユーザとして選択する。
【０１６４】
そして、電力消費管理装置１２は、選択した各類似ユーザの保有する節電ポイントのポイント数を確認し、ランキング情報を作成する。
【０１６５】
電力消費管理装置１２は、作成したランキング情報を参照して、上位にランキングされている類似ユーザの電力消費情報を選択し、選択した類似ユーザの電力消費情報、対象ユーザの電力消費情報およびランキング情報を需要家装置１３へ送信する（ステップＳ１５）。
【０１６６】
なお、電力消費管理装置１２は、電力消費情報として、使用機器情報、機器電力推移情報、施設電力推移情報、機器設置部屋情報、機器設定情報、設定履歴情報、生活環境値情報、節電ポイント情報、ポイント取得履歴情報および部屋別ポイント情報の全部を送信する構成であってもよいし、一部を送信する構成であってもよい。
【０１６７】
次に、需要家装置１３は、電力消費管理装置１２から、類似ユーザの電力消費情報、対象ユーザの電力消費情報およびランキング情報を受信して、受信したこれらの情報を用いて、たとえば図２に示す画面の表示内容を示す情報取得応答Ａを作成する。そして、需要家装置１３は、作成した情報取得応答Ａを端末装置１６へ送信する（ステップＳ１６）。
【０１６８】
次に、端末装置１６は、需要家装置１３から情報取得応答Ａを受信して、受信した情報取得応答Ａの示す内容を自己のディスプレイに表示する。
【０１６９】
次に、端末装置１６は、対象ユーザによる操作を受けて（ステップＳ１７）、情報取得要求Ｂを需要家装置１３へ送信する（ステップＳ１８）。ここでは、情報取得要求Ｂは、たとえば、図３に示す画面の表示内容を要求するための情報である。
【０１７０】
次に、需要家装置１３は、端末装置１６から情報取得要求Ｂを受けて、電力消費管理装置１２から取得した電力消費情報（ステップＳ１５）を用いることにより、たとえば図３に示す画面の表示内容を示す情報取得応答Ｂを作成する。そして、需要家装置１３は、作成した情報取得応答Ｂを端末装置１６へ送信する（ステップＳ１９）。
【０１７１】
あるいは、需要家装置１３は、端末装置１６から受けた情報取得要求Ｂが図４に示す画面の表示内容を要求するための情報である場合、電力消費管理装置１２から取得した電力消費情報（ステップＳ１５）を用いることにより、たとえば図４に示す画面の表示内容を示す情報取得応答Ｂを作成し、作成した情報取得応答Ｂを端末装置１６へ送信する（ステップＳ１９）。
【０１７２】
あるいは、需要家装置１３は、端末装置１６から受けた情報取得要求Ｂが図５に示す画面の表示内容を要求するための情報である場合、電力消費管理装置１２から取得した電力消費情報（ステップＳ１５）を用いることにより、たとえば図５に示す画面の表示内容を示す情報取得応答Ｂを作成し、作成した情報取得応答Ｂを端末装置１６へ送信する（ステップＳ１９）。
【０１７３】
あるいは、需要家装置１３は、端末装置１６から受けた情報取得要求Ｂが図６に示す画面の表示内容を要求するための情報である場合、電力消費管理装置１２から取得した電力消費情報（ステップＳ１５）を用いることにより、たとえば図６に示す画面の表示内容を示す情報取得応答Ｂを作成し、作成した情報取得応答Ｂを端末装置１６へ送信する（ステップＳ１９）。
【０１７４】
あるいは、需要家装置１３は、端末装置１６から受けた情報取得要求Ｂが図７に示す画面の表示内容を要求するための情報である場合、電力消費管理装置１２から取得した電力消費情報（ステップＳ１５）を用いることにより、たとえば図７に示す画面の表示内容を示す情報取得応答Ｂを作成し、作成した情報取得応答Ｂを端末装置１６へ送信する（ステップＳ１９）。
【０１７５】
次に、端末装置１６は、需要家装置１３から情報取得応答Ｂを受信して、受信した情報取得応答Ｂの示す内容を自己のディスプレイに表示する。
【０１７６】
次に、端末装置１６は、対象ユーザによる操作を受けて（ステップＳ２０）、情報取得要求Ｃを需要家装置１３へ送信する（ステップＳ２１）。情報取得要求Ｃは、たとえば、対象ユーザが図６に示す画面に表示されたボタンＢ４１〜Ｂ４３のうちのいずれかのボタンをクリックしたことにより端末装置１６において作成された情報であり、電気機器１５の機器変更試算または機器使用試算の結果を示す表示内容を要求するための情報である。
【０１７７】
次に、端末装置１６は、需要家装置１３から情報取得要求Ｃを受信して、電力消費管理装置１２に機器変更試算または機器使用試算の実行および実行結果の送信を要求するための試算要求を電力消費管理装置１２へ送信する（ステップＳ２２）。ここで、端末装置１６は、対象ユーザがクリックしたボタンＢ４１〜Ｂ４３のうちのいずれかのボタンに対応する電気機器１５の種類等の情報を、試算要求に含めて電力消費管理装置１２へ送信する。
【０１７８】
次に、電力消費管理装置１２は、需要家装置１３から試算要求を受けて、自己の記憶する対象ユーザの電力消費情報および類似ユーザＡの電力消費情報に基づいて、機器変更試算または機器使用試算を行う（ステップＳ２３）。
【０１７９】
具体的には、たとえば、電力消費管理装置１２は、対象ユーザの使用機器情報、機器電力推移情報および設定履歴情報と、類似ユーザＡの使用機器情報、機器電力推移情報、機器設定情報および設定履歴情報とに基づいて、対象ユーザの使用する電気機器１５の代わりに類似ユーザＡの使用する同じ種類の電気機器１５を使用した場合の機器変更試算を行う。
【０１８０】
あるいは、電力消費管理装置１２は、たとえば、類似ユーザＡの使用機器情報、機器電力推移情報、機器設定情報および設定履歴情報に基づいて、対象ユーザの使用していない種類の電気機器１５であって、類似ユーザＡの使用する電気機器１５と同一の電気機器１５を対象ユーザが新たに使用した場合の機器使用試算を行う。
【０１８１】
次に、電力消費管理装置１２は、機器変更試算または機器使用試算の結果を示す試算情報を需要家装置１３へ送信する（ステップＳ２４）。
【０１８２】
次に、需要家装置１３は、電力消費管理装置１２から試算情報を受信して、受信した試算情報の内容を示す情報取得応答Ｃを作成し、作成した情報取得応答Ｃを端末装置１６へ送信する（ステップＳ２５）。
【０１８３】
次に、端末装置１６は、需要家装置１３から情報取得応答Ｃを受信して、受信した情報取得応答Ｃの示す内容を自己のディスプレイに表示する。当該ディスプレイには、たとえば、対象ユーザの使用する電気機器１５を類似ユーザＡの使用する同じ種類の電気機器１５に変更した場合に生じる消費電力量の差および電気料金の差が表示される。
【０１８４】
次に、端末装置１６は、対象ユーザによる操作を受けて（ステップＳ２６）、情報取得要求Ｄを需要家装置１３へ送信する（ステップＳ２７）。情報取得要求Ｄは、たとえば図８に示す画面の表示内容を要求するための情報である。
【０１８５】
次に、需要家装置１３は、端末装置１６から情報取得要求Ｄを受信して、付与情報を要求するための付与条件要求を電力消費管理装置１２へ送信する（ステップＳ２８）。付与情報は、ボーナスポイントの付与条件および当該条件を満たした場合に付与されるボーナスポイントのポイント数を示す。
【０１８６】
次に、電力消費管理装置１２は、需要家装置１３から付与条件要求を受信して、自己の記憶する付与情報を需要家装置１３へ送信する（ステップＳ２９）。
【０１８７】
次に、需要家装置１３は、電力消費管理装置１２から付与情報を受信して、受信した付与情報を用いて、たとえば図８に示す画面の表示内容を示す情報取得応答Ｄを作成する。そして、需要家装置１３は、作成した情報取得応答Ｄを端末装置１６へ送信する（ステップＳ３０）。
【０１８８】
次に、端末装置１６は、需要家装置１３から情報取得応答Ｄを受信して、受信した情報取得応答Ｄの示す内容を自己のディスプレイに表示する。
【０１８９】
次に、端末装置１６は、対象ユーザによる操作を受けて（ステップＳ３１）、電気機器１５の動作設定を変更させるための設定変更要求を需要家装置１３へ送信する（ステップＳ３２）。具体的には、端末装置１６は、図５に示すボタンＢ３１または図７に示すボタンＢ１０を対象ユーザがクリックした場合に、対象ユーザがクリックしたボタンの情報を含む設定変更要求を作成し、作成した設定変更要求を需要家装置１３へ送信する。
【０１９０】
次に、需要家装置１３は、端末装置１６から設定変更要求を受信し、受信した設定変更要求に基づいて、対象の電気機器１５における動作設定の変更内容を示す設定変更指令を作成する。
【０１９１】
具体的には、需要家装置１３は、設定変更要求が図５に示すボタンＢ３１の情報を含む場合、対象ユーザの使用機器情報に基づいて、設定変更指令を作成する。また、需要家装置１３は、設定変更要求が図７に示すボタンＢ１０の情報を含む場合、類似ユーザＡの機器設定情報に基づいて、設定変更指令を作成する。そして、需要家装置１３は、作成した設定変更指令を当該電気機器１５へ送信する（ステップＳ３３）。
【０１９２】
次に、電気機器１５は、需要家装置１３から設定変更指令を受信して、受信した設定変更指令に従って自己の動作設定を変更する（ステップＳ３４）。そして、電気機器１５は、設定変更指令に従って自己の動作設定を変更した旨を示す変更実施通知を需要家装置１３へ送信する（ステップＳ３５）。
【０１９３】
次に、需要家装置１３は、電気機器１５から変更実施通知を受信して、電気機器１５において動作設定が変更された旨および変更後の動作設定の内容を示す変更通知を作成し、作成した変更通知を端末装置１６および電力消費管理装置１２へ送信する（ステップＳ３６およびステップＳ３７）。
【０１９４】
次に、端末装置１６は、需要家装置１３から受信した変更通知の示す内容を自己のディスプレイに表示する。
【０１９５】
また、電力消費管理装置１２は、需要家装置１３から変更通知を受信して、受信した変更通知に基づいて、自己の記憶する対象ユーザの電力消費情報、具体的には、対象ユーザの機器設定情報および設定履歴情報を更新する（ステップＳ３８）。
【０１９６】
図１１は、本発明の第１の実施の形態に係る電力消費管理システムにおける電力情報処理のシーケンスの他の例を示す図である。
【０１９７】
図１１を参照して、まず、需要家装置１３は、機器電力情報を要求するための機器電力要求を自己の電力需要施設３における各電気機器１５へ送信する（ステップＳ６１）。
【０１９８】
次に、電気機器１５は、需要家装置１３から機器電力要求を受信して、自己の電気機器１５における消費電力を示す機器電力情報を需要家装置１３へ送信する（ステップＳ６２）。
【０１９９】
需要家装置１３は、たとえば、数分ごとに各電気機器１５へ機器電力要求を送信することにより、各電気機器１５における数分ごとの機器電力情報を取得する。
【０２００】
次に、需要家装置１３は、施設電力情報を要求するための施設電力要求を自己の電力需要施設３におけるスマートメータ１４へ送信する（ステップＳ６３）。
【０２０１】
次に、スマートメータ１４は、需要家装置１３から施設電力要求を受信して、電力需要施設３における消費電力を示す施設電力情報を需要家装置１３へ送信する（ステップＳ６４）。
【０２０２】
需要家装置１３は、たとえば、数分ごとにスマートメータ１４へ施設電力要求を送信することにより、数分ごとの施設電力情報を取得する。
【０２０３】
次に、需要家装置１３は、たとえば、過去２４時間において各電気機器１５から受信した機器電力情報に基づいて、各電気機器１５における消費電力の１日の推移を示す機器集計情報を作成する。また、需要家装置１３は、たとえば、過去２４時間においてスマートメータ１４から受信した施設電力情報に基づいて、電力需要施設３における消費電力の１日の推移を示す施設集計情報を作成する。
【０２０４】
そして、需要家装置１３は、作成した施設集計情報および機器集計情報を電力消費管理装置１２へ送信する（ステップＳ６５）。
【０２０５】
次に、電力消費管理装置１２は、需要家装置１３から施設集計情報および機器集計情報を受信して、受信した施設集計情報および機器集計情報に基づいて、自己の記憶する電力消費情報を更新する（ステップＳ６６）。
【０２０６】
具体的には、たとえば、電力消費管理装置１２は、施設集計情報に基づいて対応の施設電力推移情報を更新し、機器集計情報に基づいて対応の機器電力推移情報を更新する。
【０２０７】
また、電力消費管理装置１２は、自己の記憶するポイント評価用情報および機器電力推移情報等に基づいて、ユーザ４に付与する節電ポイントを演算し、演算結果に基づいて、対応の節電ポイント情報を更新する。
【０２０８】
また、電力消費管理装置１２は、たとえば、自己の記憶する付与情報および機器電力推移情報に基づいて、ユーザ４に付与するボーナスポイントを決定する。そして、電力消費管理装置１２は、決定した内容に基づいて、対応の節電ポイント情報を更新する。
【０２０９】
また、電力消費管理装置１２は、節電ポイント情報、機器電力推移情報および機器設置部屋情報に基づいて、電力需要施設３における各部屋に付与する部屋別ポイントを演算し、対応の部屋別ポイント情報を更新する。
【０２１０】
需要家装置１３は、たとえば、電力消費管理装置１２から節電ポイント情報および部屋別ポイント情報を定期的に取得して、取得したこれらの情報の内容を必要に応じて自己のディスプレイに表示する。
【０２１１】
具体的には、需要家装置１３は、節電ポイント情報および部屋別ポイント情報を要求する旨を示すポイント要求を電力消費管理装置１２へ送信する（ステップＳ６７）。
【０２１２】
次に、電力消費管理装置１２は、需要家装置１３からポイント要求を受信して、当該需要家装置１３に対応する節電ポイント情報および部屋別ポイント情報を当該需要家装置１３へ送信する（ステップＳ６８）。
【０２１３】
図１２は、本発明の第１の実施の形態に係る電力消費管理装置の構成を示す図である。
【０２１４】
図１２を参照して、電力消費管理装置１２は、取得部２１と、処理部２２と、選択部２３と、通知部２４と、記憶部２５と、消費評価部２６と、区分評価部２７と、条件判断部２８とを備える。
【０２１５】
記憶部２５は、電力需要施設３ごとすなわちユーザ４ごとの電力消費情報を記憶している。具体的には、記憶部２５は、ユーザ４ごとに、使用機器情報、機器電力推移情報、施設電力推移情報、機器設置部屋情報、機器設定情報、設定履歴情報、生活環境値情報、節電ポイント情報、ポイント取得履歴情報および部屋別ポイント情報を記憶している。
【０２１６】
また、記憶部２５は、ポイント評価用情報および付与情報を記憶している。
【０２１７】
取得部２１は、需要家装置１３から電力情報要求およびランキング要求を取得して、取得した電力情報要求およびランキング要求を選択部２３へ出力する。
【０２１８】
選択部２３は、取得部２１から電力情報要求およびランキング要求を受けて、記憶部２５によって記憶されている、複数のユーザ４の各々の電力消費に関する複数の電力消費情報の中から、対象ユーザとは異なるユーザ４の電力消費情報を選択し、選択した電力消費情報を記憶部２５から取得する。
【０２１９】
具体的には、たとえば、選択部２３は、複数の電力消費情報の中から、対象ユーザと生活環境が類似または一致する他のユーザ４の電力消費情報を選択する。
【０２２０】
より具体的には、選択部２３は、予め、ユーザ４ごとに生活環境値を算出し、各算出結果をユーザ４の生活環境値情報として記憶部２５に保存しておく。選択部２３は、取得部２１から電力情報要求およびランキング要求を受けると、記憶部２５に保存した各ユーザ４の生活環境値情報を用いて、対象ユーザの生活環境値と他のユーザ４の生活環境値とを比較し、比較結果に基づいて電力消費情報を選択する。
【０２２１】
詳細には、選択部２３は、取得部２１から電力情報要求およびランキング要求を受けると、対象ユーザの生活環境値と他のユーザ４の生活環境値とを比較して、対象ユーザと生活環境値が同一であるかまたは近い複数のユーザ４を類似ユーザとして選択する。
【０２２２】
選択部２３は、選択した類似ユーザの、記憶部２５によって記憶されている節電ポイント情報を用いて、各類似ユーザの保有する節電ポイントのポイント数を確認し、当該ポイント数に基づいてランキング情報を作成する。そして、選択部２３は、作成したランキング情報を参照して、ランキング上位の類似ユーザの電力消費情報を選択し、選択した電力消費情報を記憶部２５から取得する。
【０２２３】
選択部２３は、さらに、記憶部２５によって記憶されている複数の電力消費情報の中から、対象ユーザの電力消費情報を選択し、選択した電力消費情報を記憶部２５から取得する。そして、選択部２３は、取得した類似ユーザの電力消費情報および対象ユーザの電力消費情報と作成したランキング情報とを通知部２４へ出力する。
【０２２４】
通知部２４は、選択部２３から受けた類似ユーザの電力消費情報、対象ユーザの電力消費情報およびランキング情報を需要家装置１３に通知する。
【０２２５】
また、取得部２１は、需要家装置１３から施設集計情報および機器集計情報を取得して、取得した施設集計情報および機器集計情報を処理部２２へ出力する。
【０２２６】
処理部２２は、取得部２１から受けた施設集計情報に基づいて、記憶部２５の記憶する対応の施設電力推移情報を更新する。また、処理部２２は、取得部２１から受けた機器集計情報に基づいて、記憶部２５の記憶する対応の機器電力推移情報を更新する。
【０２２７】
消費評価部２６は、対象ユーザの電力消費に対する評価内容を示す指標すなわち対象ユーザに付与する節電ポイントを演算し、演算結果を用いて対応の節電ポイント情報を更新する。
【０２２８】
具体的には、消費評価部２６は、ポイント評価用情報および機器電力推移情報に基づいて、ユーザ４に付与する節電ポイントを演算する。
【０２２９】
より具体的には、たとえば、ポイント評価用情報は、上述のように、生活環境値に応じた基準消費電力量を示す。消費評価部２６は、施設電力推移情報に基づいて、対象施設における消費電力量を演算する。そして、消費評価部２６は、演算結果である対象施設の消費電力量と、対象ユーザの生活環境値に対応する基準消費電力量との差に応じて、対象ユーザに付与する節電ポイントを決定する。
【０２３０】
条件判断部２８は、記憶部２５の記憶する付与情報および機器電力推移情報等に基づいて、対象ユーザに付与するボーナスポイントを決定し、決定した内容に基づいて、対応の節電ポイント情報を更新する。
【０２３１】
付与情報は、消費評価部２６による演算とは異なる基準の条件が満たされた場合に付与される節電ポイントを示す。具体的には、付与情報は、上述のように、ボーナスポイントが付与される条件と、当該条件をユーザ４が満たした場合に当該ユーザ４に付与されるボーナスポイントのポイント数とを示す。
【０２３２】
区分評価部２７は、対象ユーザの電力消費に対する評価内容を示す指標であって、対象施設における区分けされた場所ごとの指標の演算を行う。そして、区分評価部２７は、演算結果に基づいて、対応の部屋別ポイント情報を更新する。
【０２３３】
具体的には、区分評価部２７は、記憶部２５の記憶する節電ポイント情報、機器電力推移情報および機器設置部屋情報に基づいて、対象施設における各部屋に付与する部屋別ポイントを演算し、対応の部屋別ポイント情報を更新する。
【０２３４】
より具体的には、機器設置部屋情報は、上述のように、各電気機器１５が設置されている対象施設の部屋を示す。区分評価部２７は、機器電力推移情報に基づいて、各機器における消費電力量を演算する。そして、区分評価部２７は、演算結果である電気機器１５ごとの消費電力量および機器設置部屋情報に基づいて、対象施設における部屋ごとの消費電力量を演算する。
【０２３５】
区分評価部２７は、演算結果である部屋ごとの消費電力量に応じて、対象施設における各部屋に部屋別ポイントを付与する。このとき、区分評価部２７は、対象施設における各部屋の部屋別ポイントの合計値が、たとえば、対象ユーザが保有する節電ポイントのポイント数と等しくなるように、各部屋に付与する部屋別ポイントのポイント数を決定する。
【０２３６】
また、取得部２１は、需要家装置１３から試算要求を取得して、取得した試算要求を処理部２２へ出力する。
【０２３７】
処理部２２は、取得部２１から受けた試算要求の内容に応じて、機器変更試算または機器使用試算を行い、試算結果を示す試算情報を通知部２４へ出力する。
【０２３８】
機器変更試算は、対象ユーザの使用する電気機器１５の代わりに同じ種類の電気機器１５を使用した場合における電力消費に関する試算である。また、機器使用試算は、対象ユーザが新たな種類の電気機器１５を使用した場合における電力消費に関する試算である。通知部２４は、処理部２２から受けた試算情報を、需要家装置１３に通知する。
【０２３９】
また、取得部２１は、需要家装置１３から送信された付与条件要求を取得して、取得した付与条件要求を処理部２２へ出力する。
【０２４０】
処理部２２は、取得部２１から付与条件要求を受けて、記憶部２５から付与情報を取得し、取得した付与情報を通知部２４へ出力する。
【０２４１】
通知部２４は、処理部２２から受けた付与情報を需要家装置１３へ通知する。
【０２４２】
また、取得部２１は、需要家装置１３から変更通知を取得して、取得した変更通知に基づいて、記憶部２５によって記憶されている対応の機器設定情報および設定履歴情報を更新する。
【０２４３】
次に、選択部２３が生活環境値を算出する方法について説明する。
【０２４４】
図１３は、本発明の第１の実施の形態に係る電力消費管理装置における選択部が生活環境値を算出する方法について説明するための図である。
【０２４５】
図１３を参照して、テーブルＴは、番号１から番号７までの「生活環境の決定因子」の名称と、当該決定因子の値と、当該決定因子の重みとを示している。ここで、テーブルＴは、記憶部２５によって記憶されている。
【０２４６】
たとえば、生活環境の決定因子が「家庭人数」である場合、値Ｖ１は、「４」または「５」等、ユーザ４の電力需要施設３において生活する人の数である。
【０２４７】
選択部２３は、生活環境の決定因子と当該決定因子の重みとを用いて、対象ユーザを含む各ユーザ４の生活環境値を算出する。
【０２４８】
具体的には、選択部２３は、以下の式（１）に従って生活環境値を算出する。ただし、iは、テーブルＴにおける「番号」であり、Ｖｉは、番号に対応する「値」であり、Ｃｉは、番号に対応する「重み」である。
【０２４９】
【数１】
2016158369.tif 000003
【０２５０】
なお、選択部２３は、テーブルＴに示す番号１から番号７までの生活環境の決定因子に限らず、他の生活環境の決定因子を用いて生活環境値を算出する構成であってもよい。
【０２５１】
図１４は、本発明の第１の実施の形態に係る需要家装置の構成を示す図である。
【０２５２】
図１４を参照して、需要家装置１３は、需要家取得部（取得部）４１と、需要家処理部４２と、需要家通知部（通知部）４３と、需要家提示部４４と、需要家記憶部４５とを備える。
【０２５３】
需要家取得部４１は、端末装置１６から情報取得要求Ａを取得して、取得した情報取得要求Ａを需要家処理部４２へ出力する。
【０２５４】
需要家処理部４２は、需要家取得部４１から情報取得要求Ａを受けて、電力情報要求およびランキング要求を作成し、作成した電力情報要求およびランキング要求を需要家通知部４３へ出力する。
【０２５５】
需要家通知部４３は、需要家処理部４２から受けた電力情報要求およびランキング要求を電力消費管理装置１２に通知する。
【０２５６】
また、需要家取得部４１は、類似ユーザの電力消費情報、対象ユーザの電力消費情報およびランキング情報を電力消費管理装置１２から取得して、取得したこれらの情報を需要家処理部４２へ出力する。
【０２５７】
需要家処理部４２は、需要家取得部４１から受けた類似ユーザの電力消費情報、対象ユーザの電力消費情報およびランキング情報を需要家記憶部４５に保存する。
【０２５８】
また、需要家処理部４２は、需要家取得部４１から受けた類似ユーザの電力消費情報、対象ユーザの電力消費情報およびランキング情報に基づいて、情報取得応答Ａを作成し、作成した情報取得応答Ａを需要家通知部４３へ出力する。
【０２５９】
需要家通知部４３は、需要家処理部４２から受けた情報取得応答Ａを端末装置１６に通知する。
【０２６０】
また、需要家取得部４１は、端末装置１６から情報取得要求Ｂを取得して、取得した情報取得要求Ｂを需要家処理部４２へ出力する。
【０２６１】
需要家処理部４２は、需要家取得部４１から情報取得要求Ｂを受けて、需要家記憶部４５から類似ユーザの電力消費情報、対象ユーザの電力消費情報およびランキング情報を取得し、取得したこれらの情報に基づいて、情報取得応答Ｂを作成する。そして、需要家処理部４２は、作成した情報取得応答Ｂを需要家通知部４３へ出力する。
【０２６２】
需要家通知部４３は、需要家処理部４２から受けた情報取得応答Ｂを端末装置１６に通知する。
【０２６３】
また、需要家取得部４１は、端末装置１６から情報取得要求Ｃを取得して、取得した情報取得要求Ｃを需要家処理部４２へ出力する。
【０２６４】
需要家処理部４２は、需要家取得部４１から情報取得要求Ｃを受けて、試算要求を作成し、作成した試算要求を需要家通知部４３へ出力する。
【０２６５】
需要家通知部４３は、需要家処理部４２から受けた試算要求を電力消費管理装置１２に通知する。
【０２６６】
また、需要家取得部４１は、電力消費管理装置１２から試算情報を取得して、取得した試算情報を需要家処理部４２へ出力する。
【０２６７】
需要家処理部４２は、需要家取得部４１から受けた試算情報に基づいて、情報取得応答Ｃを作成し、作成した情報取得応答Ｃを需要家通知部４３へ出力する。
【０２６８】
需要家通知部４３は、需要家処理部４２から受けた情報取得応答Ｃを端末装置１６に通知する。
【０２６９】
また、需要家取得部４１は、端末装置１６から情報取得要求Ｄを取得して、取得した情報取得要求Ｄを需要家処理部４２へ出力する。
【０２７０】
需要家処理部４２は、需要家取得部４１から情報取得要求Ｄを受けて、付与条件要求を作成し、作成した付与条件要求を需要家通知部４３へ出力する。
【０２７１】
需要家通知部４３は、需要家処理部４２から受けた付与条件要求を電力消費管理装置１２に通知する。
【０２７２】
また、需要家取得部４１は、電力消費管理装置１２から付与情報を取得して、取得した付与情報を需要家処理部４２へ出力する。
【０２７３】
需要家処理部４２は、需要家取得部４１から受けた付与情報に基づいて、情報取得応答Ｄを作成し、作成した情報取得応答Ｄを需要家通知部４３へ出力する。
【０２７４】
需要家通知部４３は、需要家処理部４２から受けた情報取得応答Ｄを端末装置１６に通知する。
【０２７５】
また、需要家取得部４１は、端末装置１６から設定変更要求を取得して、取得した設定変更要求を需要家処理部４２へ出力する。
【０２７６】
需要家処理部４２は、需要家取得部４１から受けた設定変更要求に基づいて、設定変更指令を作成し、作成した設定変更指令を需要家通知部４３へ出力する。
【０２７７】
需要家通知部４３は、需要家処理部４２から受けた設定変更指令を対象の電気機器１５に通知する。
【０２７８】
また、需要家取得部４１は、需要家通知部４３により設定変更指令が通知された電気機器１５から変更実施通知を取得して、取得した変更実施通知を需要家処理部４２へ出力する。
【０２７９】
需要家処理部４２は、需要家取得部４１から受けた変更実施通知に基づいて、変更通知を作成し、作成した変更通知を需要家通知部４３へ出力する。
【０２８０】
需要家通知部４３は、需要家処理部４２から受けた変更通知を端末装置１６および電力消費管理装置１２に通知する。
【０２８１】
また、需要家処理部４２は、定期的または不定期に機器電力要求を作成し、作成した機器電力要求を需要家通知部４３へ出力する。
【０２８２】
需要家通知部４３は、需要家処理部４２から受けた機器電力要求を各電気機器１５に通知する。
【０２８３】
また、需要家取得部４１は、需要家通知部４３により機器電力要求が通知された各電気機器１５から機器電力情報を取得して、取得した機器電力情報を需要家処理部４２へ出力する。
【０２８４】
需要家処理部４２は、需要家取得部４１から受けた機器電力情報を需要家記憶部４５に保存する。
【０２８５】
また、需要家処理部４２は、定期的または不定期に施設電力要求を作成し、作成した施設電力要求を需要家通知部４３へ出力する。
【０２８６】
需要家通知部４３は、需要家処理部４２から受けた施設電力要求をスマートメータ１４に通知する。
【０２８７】
また、需要家取得部４１は、スマートメータ１４から施設電力情報を取得して、取得した施設電力情報を需要家処理部４２へ出力する。
【０２８８】
需要家処理部４２は、需要家取得部４１から受けた取得した施設電力情報を需要家記憶部４５に保存する。
【０２８９】
需要家処理部４２は、所定期間に需要家取得部４１によって取得された各電気機器１５の機器電力情報を需要家記憶部４５から取得し、取得した機器電力情報に基づいて、機器集計情報を作成する。また、需要家処理部４２は、所定期間に需要家取得部４１によって取得された施設電力情報を需要家記憶部４５から取得し、取得した施設電力情報に基づいて、施設集計情報を作成する。そして、需要家処理部４２は、作成した機器集計情報および施設集計情報を需要家通知部４３へ出力する。
【０２９０】
需要家通知部４３は、需要家処理部４２から受けた機器集計情報および施設集計情報を電力消費管理装置１２に通知する。
【０２９１】
また、需要家処理部４２は、たとえば、定期的または不定期にポイント要求を作成し、作成したポイント要求を通知部２４へ出力する。
【０２９２】
需要家通知部４３は、需要家処理部４２から受けたポイント要求を電力消費管理装置１２に通知する。
【０２９３】
また、需要家取得部４１は、電力消費管理装置１２から節電ポイント情報および部屋別ポイント情報を取得して、取得したこれらの情報を需要家処理部４２へ出力する。
【０２９４】
需要家処理部４２は、需要家取得部４１から受けた節電ポイント情報および部屋別ポイント情報の内容を、たとえばディスプレイである需要家提示部４４に表示する。
【０２９５】
なお、本発明の第１の実施の形態に係る電力消費管理システム１０１では、電力消費管理装置１２における通知部２４は、電力消費情報をランキング情報と異なるタイミングで需要家装置１３に通知してもよい。たとえば、取得部２１が電力情報要求およびランキング要求を異なるタイミングで取得した場合、通知部２４は、電力消費情報およびランキング情報を異なるタイミングで需要家装置１３に通知する。
【０２９６】
また、本発明の第１の実施の形態に係る電力消費管理システム１０１では、電力消費管理装置１２における通知部２４は、電力消費情報およびランキング情報を需要家装置１３に通知する構成であるとしたが、これに限定するものではなく、電力消費情報およびランキング情報を端末装置１６に通知する構成であってもよい。
【０２９７】
たとえば、端末装置１６は、需要家装置１３ではなく電力消費管理装置１２へ情報取得要求Ａを送信する。電力消費管理装置１２は、端末装置１６から情報取得要求Ａを受信して、需要家装置１３からランキング要求を受信した場合と同様にランキング情報を作成し、需要家装置１３から電力情報要求を受信した場合と同様に電力消費情報を取得する。そして、電力消費管理装置１２は、作成したランキング情報および取得した電力消費情報を用いて情報取得応答Ａを作成し、作成した情報取得応答Ａを端末装置１６へ送信する。すなわち、電力消費管理装置１２における通知部２４は、電力消費情報およびランキング情報の内容を含む情報取得応答Ａを端末装置１６に通知する。
【０２９８】
また、本発明の第１の実施の形態に係る電力消費管理システム１０１では、電力消費管理装置１２における通知部２４は、試算情報を需要家装置１３に通知する構成であるとしたが、これに限定するものではなく、試算情報を端末装置１６に通知する構成であってもよい。
【０２９９】
たとえば、端末装置１６は、需要家装置１３ではなく電力消費管理装置１２へ情報取得要求Ｃを送信する。電力消費管理装置１２は、端末装置１６から情報取得要求Ｃを受信して、需要家装置１３から試算要求を受信した場合と同様に試算情報を作成する。そして、電力消費管理装置１２は、作成した試算情報を用いて情報取得応答Ｃを作成し、作成した情報取得応答Ｃを端末装置１６へ送信する。すなわち、電力消費管理装置１２における通知部２４は、試算情報の内容を含む情報取得応答Ｃを端末装置１６に通知する。
【０３００】
また、本発明の第１の実施の形態に係る電力消費管理システム１０１では、電力消費管理装置１２における通知部２４は、付与情報を需要家装置１３に通知する構成であるとしたが、これに限定するものではなく、付与情報を端末装置１６に通知する構成であってもよい。
【０３０１】
たとえば、端末装置１６は、需要家装置１３ではなく電力消費管理装置１２へ情報取得要求Ｄを送信する。電力消費管理装置１２は、端末装置１６から情報取得要求Ｄを受信して、需要家装置１３から付与条件要求を受信した場合と同様に付与情報を取得する。そして、電力消費管理装置１２は、取得した付与情報を用いて情報取得応答Ｄを作成し、作成した情報取得応答Ｄを端末装置１６へ送信する。すなわち、電力消費管理装置１２における通知部２４は、付与情報の内容を含む情報取得応答Ｄを端末装置１６に通知する。
【０３０２】
ところで、電力需要施設における消費電力を可視化することにより、ユーザに積極的に節電を行わせることができる場合がある。たとえば、ユーザは、自己の電力需要施設における消費電力を認識し、無駄な消費電力を削減できるように、当該電力需要施設において設置された電気機器の動作設定を変更する。
【０３０３】
しかしながら、ユーザは、効果的な節電をどのようにして実現すればよいか分からない場合がある。
【０３０４】
これに対して、本発明の第１の実施の形態に係る電力消費管理装置では、取得部２１は、電力消費に関する電力消費情報の要求を示す電力情報要求（要求情報）を取得する。選択部２３は、取得部２１によって電力情報要求が取得された場合に、複数のユーザ４の各々の電力消費に関する複数の電力消費情報の中から、要求を行った対象ユーザとは異なるユーザ４の電力消費情報を選択する。通知部２４は、選択部２３によって選択された電力消費情報を通知する。
【０３０５】
また、本発明の第１の実施の形態に係る需要家装置では、需要家通知部４３は、電力消費に関する電力消費情報の要求を示す電力情報要求を電力消費管理装置１２に通知する。需要家取得部４１は、複数のユーザ４の各々の電力消費に関する複数の電力消費情報の中から選択された、上記電力需要施設３に対応する対象ユーザとは異なるユーザ４の電力消費情報を電力消費管理装置１２から取得する。
【０３０６】
また、本発明の第１の実施の形態に係る電力消費管理システムでは、電力需要施設３において用いられる需要家装置１３は、電力消費に関する電力消費情報の要求を示す電力情報要求を電力消費管理装置１２へ送信する。電力消費管理装置１２は、需要家装置１３から電力情報要求を受信して、上記電力需要施設３に対応する対象ユーザとは異なるユーザ４の電力消費に関する電力消費情報を需要家装置１３へ送信する。
【０３０７】
このような構成により、他のユーザ４の電力消費に関する情報を対象ユーザに提示することができるため、対象ユーザは、他のユーザ４を参考にして自己の電力需要施設３における節電の内容を決めることができる。
【０３０８】
したがって、本発明の第１の実施の形態に係る電力消費管理装置、需要家装置および電力消費管理システムでは、ユーザによる効果的な節電の実行を支援することができる。
【０３０９】
また、本発明の第１の実施の形態に係る電力消費管理装置では、電力消費情報は、対応のユーザ４の使用する電気機器１５の消費電力に関する情報、および電気機器１５の動作設定に関する情報の少なくともいずれか一方を含む。
【０３１０】
このような構成により、たとえば、他のユーザ４が電気機器１５をどのように使用しているかを対象ユーザに提示することができるため、対象ユーザにおいてより効果的な節電を行うことが可能となる。
【０３１１】
また、本発明の第１の実施の形態に係る電力消費管理装置では、選択部２３は、対象ユーザと生活環境が類似または一致する他のユーザ４の電力消費情報を選択する。
【０３１２】
このような構成により、対象ユーザと生活環境が近い他のユーザ４の電力消費に関する情報を対象ユーザに提示することができるため、対象ユーザに対してより有用な情報を提示することができる。
【０３１３】
また、本発明の第１の実施の形態に係る電力消費管理装置では、選択部２３は、生活環境の決定因子と決定因子の重みとを用いて、対象ユーザを含む各ユーザ４の生活環境の評価値を算出し、算出した対象ユーザの評価値および他のユーザ４の評価値の比較結果に基づいて電力消費情報を選択する。
【０３１４】
このような構成により、対象ユーザと生活環境が近い他のユーザ４の電力消費に関する情報をより的確に選択することができる。
【０３１５】
また、本発明の第１の実施の形態に係る電力消費管理装置では、通知部２４は、さらに、複数のユーザ４を順位付けしたランキング情報を通知する。
【０３１６】
このような構成により、節電を特に効果的に行っている他のユーザ４の電力消費に関する情報を対象ユーザに提示することができる。
【０３１７】
また、本発明の第１の実施の形態に係る電力消費管理装置では、通知部２４は、対象ユーザの使用する電気機器１５の代わりに他の同じ種類の電気機器１５を使用した場合、または新たな種類の電気機器１５を使用した場合における電力消費に関する試算情報を通知する。
【０３１８】
このような構成により、たとえば、対象ユーザが自己の電気機器１５を他のユーザ４が使用している他の同じ種類の電気機器１５に買い替えた場合における節電の効果を、対象ユーザに提示することができる。また、たとえば、対象ユーザが、自己の所有していない電気機器１５であって、他のユーザ４の使用している電気機器１５を新たに購入した場合における節電の効果を、対象ユーザに提示することができる。これにより、効果的な節電を行うことが可能な新たな電気機器１５の購入を対象ユーザに促すことができる。
【０３１９】
また、本発明の第１の実施の形態に係る電力消費管理装置では、消費評価部２６は、対象ユーザの電力消費に対する評価内容を示す指標すなわち節電ポイントの演算を行う。通知部２４は、消費評価部２６による演算とは異なる基準の条件が満たされた場合に付与される指標すなわちボーナスポイントを示す付与情報を通知する。
【０３２０】
このような構成により、たとえば消費電力の削減量に応じてユーザ４にポイントを付与することができるため、節電を行うことのインセンティブをユーザ４に与えることができる。また、ポイントを特別に付与する条件を定め、当該条件をユーザ４に提示することにより、ユーザ４の節電への興味を持続させることができる。
【０３２１】
また、本発明の第１の実施の形態に係る電力消費管理装置では、区分評価部２７は、対象ユーザの電力消費に対する評価内容を示す指標であって、対象ユーザの電力需要施設３における区分けされた場所ごとの指標すなわち部屋別ポイントの演算を行う。
【０３２２】
このような構成により、たとえばユーザ４の電力需要施設３における各部屋にポイントを付与することができるため、部屋の使用者ごとの節電に関する評価内容を提示することができる。
【０３２３】
また、本発明の第１の実施の形態に係る電力消費管理装置では、選択部２３は、取得部２１によって電力情報要求が取得された場合に、さらに、対象ユーザの電力消費情報を選択する。電力消費情報は、対象ユーザの使用する電気機器１５の推奨設定に関する情報および対象ユーザの使用する電気機器１５の過去の設定に関する情報の少なくともいずれか一方を含む。
【０３２４】
このような構成により、たとえば、電気機器１５における動作設定の推奨設定への変更を対象ユーザに促すことができる。また、たとえば、新たに設定した電気機器１５の動作ついて対象ユーザが不満を感じているような場合、当該電気機器１５の動作設定を変更前の状態に戻すことを支援することができる。
【０３２５】
次に、本発明の他の実施の形態について図面を用いて説明する。なお、図中同一または相当部分には同一符号を付してその説明は繰り返さない。
【０３２６】
＜第２の実施の形態＞
本実施の形態は、第１の実施の形態に係る電力消費管理システムと比べて、さらに、新製品の電気機器への変更試算を行う電力消費管理システムに関する。以下で説明する内容以外は、第１の実施の形態に係る電力消費管理システムと同様である。
【０３２７】
［端末装置に表示される画面］
図１５は、本発明の第２の実施の形態に係る電力情報管理システムにおける端末装置の表示画面の一例を示す図である。
【０３２８】
図１５は、たとえば、ユーザ４が端末装置１６においてアプリケーションソフトを起動させた後、最初に表示されるトップ画面を示す。
【０３２９】
図１５を参照して、画面には、表示部Ｍ１〜Ｍ６と、表示部ＬＡと、表示部Ｍ２０とが表示されている。すなわち、図１５に示す画面には、図２に示す画面と比べて、さらに、表示部Ｍ２０が表示されている。
【０３３０】
表示部Ｍ２０には、対象ユーザが現在使用している電気機器１５の代わりに「Ｐ社製」の「新製品」を使用した場合における電力消費に関する「試算」の「結果」が表示されている。
【０３３１】
具体的には、表示部２０には、対象ユーザが現在使用しているエアコンを「Ｐ社」製の「エアコン」に変更した場合に、１か月あたり「１０ｋＷｈ」の消費電力量を削減できることが表示されている。また、表示部２０には、対象ユーザが現在使用している冷蔵庫を「Ｐ社」製の「冷蔵庫」に変更した場合に、１か月あたり「５ｋＷｈ」の消費電力量を削減できることが表示されている。
【０３３２】
ここで、Ｐ社は、アグリゲータ２が提携しているメーカ（以下、提携先メーカとも称する。）である。
【０３３３】
［動作］
次に、本発明の第２の実施の形態に係る電力消費管理システムである電力消費管理システム１０２における電力情報処理について説明する。
【０３３４】
電力消費管理システム１０２における各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０３３５】
図１６は、本発明の第２の実施の形態に係る電力消費管理システムにおける電力情報処理のシーケンスの一例を示す図である。
【０３３６】
図１６を参照して、まず、端末装置１６は、対象ユーザによる操作を受けて（ステップＳ１１１）、たとえば自己のディスプレイに表示すべき内容を要求するための情報取得要求Ａを需要家装置１３へ送信する（ステップＳ１１２）。情報取得要求Ａは、たとえば、図１５に示す画面の表示内容を要求するための情報である。
【０３３７】
次に、需要家装置１３は、端末装置１６から情報取得要求Ａを受信して、電力消費に関する電力消費情報の要求を示す電力情報要求（要求情報）と、複数のユーザを順位付けしたランキング情報の要求を示すランキング要求と、電力消費管理装置１２に新製品に関する機器変更試算の実行および実行結果の送信を要求するための新製品試算要求とを電力消費管理装置１２へ送信する（ステップＳ１１３）。
【０３３８】
ここで、電力消費管理装置１２は、電力消費情報、ポイント評価用情報および付与情報に加え、さらに、新製品情報を記憶している。
【０３３９】
新製品情報は、提携先メーカであるＰ社製の新製品の電気機器１５、つまりＰ社が製造する電気機器１５のうち、発売開始からの日数が比較的少ない電気機器１５に関する情報である。具体的には、たとえば、新製品情報は、電気機器１５ごとに、種類と、型式と、選択可能な動作設定と、動作設定および消費電力の対応関係とを示す。
【０３４０】
次に、電力消費管理装置１２は、需要家装置１３から電力情報要求、ランキング要求および新製品試算要求を受信して、自己の記憶する複数の電力消費情報の中から対象ユーザとは異なるユーザの電力消費情報を選択する（ステップＳ１１４）。
【０３４１】
具体的には、電力消費管理装置１２は、需要家装置１３から電力情報要求、ランキング要求および新製品試算要求を受信すると、対象ユーザおよび他のユーザ４の生活環境値を比較し、対象ユーザと生活環境値が等しいかまたは近い複数のユーザ４を類似ユーザとして選択する。
【０３４２】
そして、電力消費管理装置１２は、選択した各類似ユーザの保有する節電ポイントのポイント数を確認し、ランキング情報を作成する。
【０３４３】
電力消費管理装置１２は、作成したランキング情報を参照して、上位にランキングされている類似ユーザの電力消費情報を選択する。
【０３４４】
また、電力消費管理装置１２は、対象ユーザの使用機器情報、機器電力推移情報および設定履歴情報と、新製品情報とに基づいて、対象ユーザの使用する電気機器１５の代わりにＰ社製の新製品の電気機器１５を使用した場合の機器変更試算を行う。そして、電力消費管理装置１２は、機器変更試算の結果を示す新製品試算情報（試算情報）を作成する。
【０３４５】
次に、電力消費管理装置１２は、作成した新製品試算情報およびランキング情報と、選択した類似ユーザの電力消費情報と、対象ユーザの電力消費情報とを需要家装置１３へ送信する（ステップＳ１１５）。
【０３４６】
次に、需要家装置１３は、電力消費管理装置から、新製品試算情報と、ランキング情報と類似ユーザの電力消費情報と、対象ユーザの電力消費情報とを受信し、受信したこれらの情報を用いて、たとえば図１５に示す画面の表示内容を示す情報取得応答Ａを作成する。そして、需要家装置１３は、作成した情報取得応答Ａを端末装置１６へ送信する（ステップＳ１１６）。
【０３４７】
次に、端末装置１６は、需要家装置１３から情報取得応答Ａを受信して、受信した情報取得応答Ａの示す内容を自己のディスプレイに表示する。
【０３４８】
ステップＳ１１７〜ステップＳ１３８に示す動作は、図１０におけるステップＳ１７〜ステップＳ３８に示す動作と同様である。
【０３４９】
図１７は、本発明の第２の実施の形態に係る電力消費管理装置の構成を示す図である。
【０３５０】
図１７を参照して、電力消費管理装置１２は、取得部１２１と、処理部１２２と、選択部１２３と、通知部１２４と、記憶部１２５と、消費評価部２６と、区分評価部２７と、条件判断部２８とを備える。
【０３５１】
すなわち、電力消費管理装置１２は、本発明の第１の実施の形態に係る電力消費管理装置１２と比べて、取得部２１、処理部２２、選択部２３、通知部２４および記憶部２５の代わりに、たとえば以下のような動作をさらに行うことが可能な取得部１２１、処理部１２２、選択部１２３、通知部１２４および記憶部１２５をそれぞれ備える。
【０３５２】
記憶部１２５は、電力需要施設３ごとすなわちユーザ４ごとの電力消費情報を記憶している。具体的には、記憶部１２５は、ユーザ４ごとに、使用機器情報、機器電力推移情報、施設電力推移情報、機器設置部屋情報、機器設定情報、設定履歴情報、生活環境値情報、節電ポイント情報、ポイント取得履歴情報および部屋別ポイント情報を記憶している。
【０３５３】
また、記憶部１２５は、ポイント評価用情報、付与情報および新製品情報を記憶している。
【０３５４】
取得部１２１は、需要家装置１３から電力情報要求と、ランキング要求と、新製品試算要求とを取得して、取得したこれらの情報のうち、電力情報要求およびランキング要求を選択部１２３へ出力し、新製品試算要求を処理部１２２へ出力する。
【０３５５】
選択部１２３は、取得部１２１から電力情報要求およびランキング要求を受けて、記憶部１２５によって記憶されている、複数のユーザ４の各々の電力消費に関する複数の電力消費情報の中から、対象ユーザとは異なるユーザ４の電力消費情報を選択し、選択した電力消費情報を記憶部１２５から取得する。
【０３５６】
具体的には、たとえば、選択部１２３は、複数の電力消費情報の中から、対象ユーザと生活環境が類似または一致する他のユーザ４の電力消費情報を選択する。
【０３５７】
より具体的には、選択部１２３は、予め、ユーザ４ごとに生活環境値を算出し、各算出結果をユーザ４の生活環境値情報として記憶部１２５に保存しておく。選択部１２３は、取得部１２１から電力情報要求およびランキング要求を受けると、記憶部１２５に保存した各ユーザ４の生活環境値情報を用いて、対象ユーザの生活環境値と他のユーザ４の生活環境値とを比較し、比較結果に基づいて電力消費情報を選択する。
【０３５８】
詳細には、選択部１２３は、取得部１２１から電力情報要求およびランキング要求を受けると、対象ユーザの生活環境値と他のユーザ４の生活環境値とを比較して、対象ユーザと生活環境値が同一であるかまたは近い複数のユーザ４を類似ユーザとして選択する。
【０３５９】
選択部１２３は、選択した類似ユーザの、記憶部１２５によって記憶されている節電ポイント情報を用いて、各類似ユーザの保有する節電ポイントのポイント数を確認し、当該ポイント数に基づいてランキング情報を作成する。そして、選択部１２３は、作成したランキング情報を参照して、ランキング上位の類似ユーザの電力消費情報を選択し、選択した電力消費情報を記憶部１２５から取得する。
【０３６０】
選択部１２３は、さらに、対象ユーザの電力消費情報を記憶部１２５から取得する。そして、選択部１２３は、取得した類似ユーザの電力消費情報および対象ユーザの電力消費情報と作成したランキング情報とを通知部１２４へ出力する。
【０３６１】
処理部１２２は、取得部１２１から新製品試算要求を受けて、対象ユーザの使用機器情報、機器電力推移情報および設定履歴情報と新製品情報とを記憶部１２５から取得し、取得したこれらの情報に基づいて、対象ユーザの使用する電気機器１５の代わりにＰ社製の新製品の電気機器１５を使用した場合の機器変更試算を行う。
【０３６２】
そして、電力消費管理装置１２は、対象ユーザの使用する電気機器１５の代わりに新製品の電気機器１５を使用した場合における電力消費に関する情報を含む新製品試算情報、具体的には、機器変更試算の結果を示す新製品試算情報を作成し、通知部１２４へ出力する。
【０３６３】
通知部１２４は、選択部１２３から受けた類似ユーザの電力消費情報、対象ユーザの電力消費情報およびランキング情報と、記憶部１２５から受けた新製品試算情報とを需要家装置１３に通知する。
【０３６４】
図１８は、本発明の第２の実施の形態に係る電力消費管理システムにおける需要家装置の構成を示す図である。
【０３６５】
図１８を参照して、需要家装置１３は、需要家取得部１４１と、需要家処理部１４２と、需要家通知部１４３と、需要家提示部４４と、需要家記憶部４５とを備える。
【０３６６】
すなわち、需要家装置１３は、第１の実施の形態に係る需要家装置１３と比べて、需要家取得部４１、需要家処理部４２および需要家通知部４３の代わりに、たとえば以下のような動作をさらに行うことが可能な需要家取得部１４１、需要家処理部１４２および需要家通知部１４３をそれぞれ備える。
【０３６７】
需要家取得部１４１は、端末装置１６から情報取得要求Ａを取得して、取得した情報取得要求Ａを需要家処理部１４２へ出力する。
【０３６８】
需要家処理部１４２は、需要家取得部１４１から情報取得要求Ａを受けて、電力情報要求、ランキング要求および新製品試算要求を作成し、作成したこれらの情報を需要家通知部１４３へ出力する。
【０３６９】
需要家通知部１４３は、需要家処理部１４２から受けた電力情報要求、ランキング要求および新製品試算要求を電力消費管理装置１２に通知する。
【０３７０】
また、需要家取得部１４１は、類似ユーザの電力消費情報と、対象ユーザの電力消費情報と、ランキング情報と、新製品試算情報とを電力消費管理装置１２から取得して、取得したこれらの情報を需要家処理部１４２へ出力する。
【０３７１】
需要家処理部１４２は、需要家取得部１４１から受けた類似ユーザの電力消費情報と、対象ユーザの電力消費情報と、ランキング情報と、新製品試算情報とを需要家記憶部４５に保存する。
【０３７２】
また、需要家処理部１４２は、需要家取得部１４１から受けた類似ユーザの電力消費情報と、対象ユーザの電力消費情報と、ランキング情報と、新製品試算情報とに基づいて、情報取得応答Ａを作成し、作成した情報取得応答Ａを需要家通知部１４３へ出力する。
【０３７３】
需要家通知部１４３は、需要家処理部１４２から受けた情報取得応答Ａを端末装置１６に通知する。
【０３７４】
なお、本発明の第２の実施の形態に係る電力消費管理システム１０２では、電力消費管理装置１２における通知部１２４は、新製品試算情報を需要家装置１３へ通知する構成であるとしたが、これに限定するものではなく、新製品試算情報を端末装置１６へ通知する構成であってもよい。
【０３７５】
たとえば、端末装置１６は、需要家装置１３ではなく電力消費管理装置１２へ情報取得要求Ａを送信する。電力消費管理装置１２は、端末装置１６から情報取得要求Ａを受信して、需要家装置１３からランキング要求を受信した場合と同様にランキング情報を作成し、需要家装置１３から電力情報要求を受信した場合と同様に電力消費情報を取得し、需要家新製品試算要求を受信した場合と同様に新製品試算情報を作成する。
【０３７６】
そして、電力消費管理装置１２は、作成したランキング情報および新製品試算情報と、取得した電力消費情報とを用いて情報取得応答Ａを作成し、作成した情報取得応答Ａを端末装置１６へ送信する。すなわち、電力消費管理装置１２における通知部１２４は、ランキング情報、新製品試算情報および電力消費情報の内容を含む情報取得応答Ａを端末装置１６に通知する。
【０３７７】
以上のように、本発明の第２の実施の形態に係る電力消費管理装置では、通知部１２４の通知する試算情報である新製品試算情報は、対象ユーザの使用する電気機器１５の代わりに新製品の電気機器１５を使用した場合における電力消費に関する情報を含む。
【０３７８】
このような構成により、対象ユーザが自己の使用している電気機器１５を消費電力の少ない新製品に買い替えた場合における節電の効果を、対象ユーザに提示することができる。また、たとえば、試算対象の新製品を提携先メーカの製品にすることにより、提携先メーカの新製品を効果的にアピールすることができる。
【０３７９】
その他の構成および動作は第１の実施の形態に係る電力消費管理システムと同様であるため、ここでは詳細な説明を繰り返さない。
【０３８０】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０３８１】
以上の説明は、以下に付記する特徴を含む。
【０３８２】
［付記１］
電力消費に関する電力消費情報の要求を示す要求情報を取得する取得部と、
前記取得部によって前記要求情報が取得された場合に、複数のユーザの各々の電力消費に関する複数の電力消費情報の中から、前記要求を行った対象ユーザとは異なるユーザの前記電力消費情報を選択する選択部と、
前記選択部によって選択された前記電力消費情報を通知する通知部とを備え、
前記選択部は、ユーザの電力消費に対する評価内容を示す指標を用いた複数のユーザの順位付けの結果に基づいて、前記電力消費情報を選択し、
ＨＥＭＳまたはＢＥＭＳにおいて用いられる、電力消費管理装置。
【０３８３】
［付記２］
電力需要施設において用いられる需要家装置であって、
電力消費に関する電力消費情報の要求を示す要求情報を電力消費管理装置に通知する通知部と、
複数のユーザの各々の電力消費に関する複数の電力消費情報の中から選択された、前記電力需要施設に対応する対象ユーザとは異なるユーザの前記電力消費情報を前記電力消費管理装置から取得する取得部とを備え、
前記取得部によって前記電力消費管理装置から取得される前記電力消費情報は、ユーザの電力消費に対する評価内容を示す指標を用いた複数のユーザの順位付けの結果に基づいて選択された情報であり、
ＨＥＭＳまたはＢＥＭＳにおいて用いられる、需要家装置。
【０３８４】
［付記３］
電力需要施設において用いられる需要家装置と、
電力消費管理装置とを備え、
前記需要家装置は、電力消費に関する電力消費情報の要求を示す要求情報を前記電力消費管理装置へ送信し、
前記電力消費管理装置は、前記需要家装置から前記要求情報を受信して、前記電力需要施設に対応する対象ユーザとは異なるユーザの電力消費に関する電力消費情報を前記需要家装置へ送信し、
前記電力消費管理装置は、ユーザの電力消費に対する評価内容を示す指標を用いた複数のユーザの順位付けの結果に基づいて、前記電力消費情報を前記需要家装置へ送信し、
ＨＥＭＳまたはＢＥＭＳにおいて用いられる、電力消費管理システム。
【符号の説明】
【０３８５】
２  アグリゲータ
３  電力需要施設
４  ユーザ
１２  電力消費管理装置
１３  需要家装置
１４  スマートメータ
１５  電気機器
１６  端末装置
２０  表示部
２１，１２１  取得部
２２，１２２  処理部
２３，１２３  選択部
２４，１２４  通知部
２５，１２５  記憶部
２６  消費評価部
２７  区分評価部
２８  条件判断部
４１，１４１  需要家取得部
４２，１４２  需要家処理部
４３，１４３  需要家通知部
４４  需要家提示部
４５  需要家記憶部
１０１，１０２  電力消費管理システム
Ａ１，Ａ２，Ａ１０，Ａ２１，Ａ２２，Ａ３１，Ａ３２，Ｍ１，Ｍ２，Ｍ３，Ｍ４，Ｍ５，Ｍ６，Ｍ７，Ｍ８，Ｍ１０，Ｍ１１，Ｍ２０，ＬＡ，ＰＡ，ＰＢ，ＰＣ，ＰＤ  表示部
Ｂ１，Ｂ２，Ｂ６，Ｂ７，Ｂ８，Ｂ９，Ｂ１０，Ｂ１１，Ｂ２１，Ｂ２２，Ｂ２３，Ｂ２４，Ｂ２５，Ｂ３１，Ｂ４１，Ｂ４２，Ｂ４３，Ｂ５１，Ｂ５２  ボタン
Ｔ  テーブル
【図１】
2016158369.tif 000004
【図２】
2016158369.tif 000005
【図３】
2016158369.tif 000006
【図４】
2016158369.tif 000007
【図５】
2016158369.tif 000008
【図６】
2016158369.tif 000009
【図７】
2016158369.tif 000010
【図８】
2016158369.tif 000011
【図９】
2016158369.tif 000012
【図１０】
2016158369.tif 000013
【図１１】
2016158369.tif 000014
【図１２】
2016158369.tif 000015
【図１３】
2016158369.tif 000016
【図１４】
2016158369.tif 000017
【図１５】
2016158369.tif 000018
【図１６】
2016158369.tif 000019
【図１７】
2016158369.tif 000020
【図１８】
2016158369.tif 000021